(57)【要約】  eCall専用モードのUEのRAT間モビリティをサポートするための技法が開示される。一態様では、UEは、eCallまたはテスト/再構成呼のための通信セッションを確立し、eCallまたはテスト/再構成呼のための通信セッションを解放し、UEによる通信セッションに関するUMTSアクセスのためのPSシグナリング接続の解放、UEにおけるGPRSのためのREADYタイマーの満了であって、READYタイマーは、LTEアクセスからGSM(登録商標)-GPRSアクセスへの通信セッションのPSハンドオーバの後にUEによって開始されたものである、READYタイマーの満了、UEによるLTEアクセスからGSM(登録商標)-GPRSアクセスまたはUMTSアクセスへのシステム間変更、あるいはUEによるGSM(登録商標)アクセスまたはUMTSアクセスからLTEアクセスへのシステム間変更のうちの少なくとも1つに基づいて、タイマーを開始し、タイマーが満了したときにeCall非アクティビティ手順を実行する。
2020529153.tif 000002
【特許請求の範囲】
【請求項１】
eCall専用モードのユーザ機器(UE)の無線アクセス技術(RAT)間モビリティをサポートするための方法であって、
前記UEによって、第1のeCallまたは第1のテスト/再構成呼のための通信セッションを確立するステップと、
前記UEによって、前記第1のeCallまたは前記第1のテスト/再構成呼のための前記通信セッションを解放するステップと、
前記UEによって、(i)前記UEによる前記通信セッションに関するユニバーサルモバイルテレコミュニケーションズサービス(UMTS)アクセスのためのパケット交換(PS)シグナリング接続の解放、(ii)前記UEにおける汎用パケット無線サービス(GPRS)のためのREADYタイマーの満了であって、前記READYタイマーは、ロングタームエボリューション(LTE)アクセスからモバイル通信用グローバルシステム(GSM(登録商標))-GPRSアクセスへの前記通信セッションのPSハンドオーバの後に前記UEによって開始されたものである、READYタイマーの満了、(iii)前記UEによるLTEアクセスからGSM(登録商標)-GPRSアクセスまたはUMTSアクセスへのシステム間変更、あるいは(iv)前記UEによるGSM(登録商標)アクセスまたはUMTSアクセスからLTEアクセスへのシステム間変更のうちの少なくとも1つに基づいて、第1のタイマーを開始するステップと、
前記UEによって、前記第1のタイマーが満了したときにeCall非アクティビティ手順を実行するステップであって、前記eCall非アクティビティ手順は、ワイヤレスネットワークからデタッチすることと、第2のeCallまたは第2のテスト/再構成呼がない場合にシグナリングを前記ワイヤレスネットワークに送信するのを控えることとを備える、ステップと
備える方法。
【請求項２】
前記第1のタイマーを開始する前記ステップが、前記通信セッションに関する前記UMTSアクセスのための前記PSシグナリング接続の前記解放に基づき、前記方法が、
前記UEによって、LTEアクセスを使用する前記通信セッションを確立するステップと、
前記UEによって、前記LTEアクセスから前記UMTSアクセスへの前記通信セッションのハンドオーバを実行するステップと、
前記UEによって、前記UMTSアクセスを使用する前記通信セッションを解放するステップと
をさらに備える、請求項1に記載の方法。
【請求項３】
前記第1のタイマーが満了したときに前記eCall非アクティビティ手順を実行する前記ステップが、前記第1のタイマーが満了し、前記UEが、前記UMTSアクセスに対して、回線交換(CS)アイドル状態、PS登録アイドル状態、PS未登録状態、PSヌル状態、またはこれらの任意の組合せのうちの少なくとも1つであるときに前記eCall非アクティビティ手順を実行するステップを備える、請求項2に記載の方法。
【請求項４】
前記ワイヤレスネットワークからデタッチする前記ステップが、国際モバイル加入者識別情報(IMSI)デタッチまたは複合GPRSデタッチを実行するステップを備える、請求項3に記載の方法。
【請求項５】
前記第1のタイマーを開始する前記ステップが、GPRSのための前記READYタイマーの前記満了に基づき、前記方法が、
前記UEによって、LTEアクセスを使用する前記通信セッションを確立するステップと、
前記UEによって、前記LTEアクセスから前記GSM(登録商標)-GPRSアクセスへの前記通信セッションの前記PSハンドオーバを実行するステップと、
前記UEによって、前記GSM(登録商標)-GPRSアクセスを使用する前記通信セッションを解放するステップと
をさらに備える、請求項1に記載の方法。
【請求項６】
前記第1のタイマーが満了したときに前記eCall非アクティビティ手順を実行する前記ステップが、前記第1のタイマーが満了し、前記UEが、前記GSM(登録商標)-GPRSアクセスに対して、CSアイドル状態、READYタイマーが動作中ではないPS登録状態、PS未登録状態、PSヌル状態、またはこれらの任意の組合せのうちの少なくとも1つであるときに前記eCall非アクティビティ手順を実行するステップを備える、請求項5に記載の方法。
【請求項７】
前記ワイヤレスネットワークからデタッチする前記ステップが、IMSIデタッチまたは複合GPRSデタッチを実行するステップを備える、請求項6に記載の方法。
【請求項８】
前記第1のタイマーを開始する前記ステップが、前記LTEアクセスから前記GSM(登録商標)-GPRSアクセスまたは前記UMTSアクセスへの前記システム間変更に基づき、前記方法が、
前記UEによって、前記LTEアクセスを使用する前記通信セッションを確立するステップと、
前記UEによって、前記LTEアクセスを使用する前記通信セッションを解放するステップと、
前記UEによって、前記LTEアクセスを使用する前記通信セッションの前記解放に基づいて、第2のタイマーを開始するステップと、
前記UEによって、前記LTEアクセスから前記GSM(登録商標)-GPRSアクセスまたは前記UMTSアクセスへの前記システム間変更を実行するステップと、
前記UEによって、前記LTEアクセスから前記GSM(登録商標)-GPRSアクセスまたは前記UMTSアクセスへの前記システム間変更の後に前記第2のタイマーに残された時間を用いて前記第1のタイマーを開始するステップと、
前記UEによって、前記第2のタイマーを停止するステップと
をさらに備える、請求項1に記載の方法。
【請求項９】
前記第1のタイマーが満了したときに前記eCall非アクティビティ手順を実行する前記ステップが、前記第1のタイマーが満了し、前記UEが、CSアイドル状態、PS未登録状態、PSヌル状態、READYタイマーが動作中ではないPS登録状態、PS登録アイドル状態、またはこれらの任意の組合せのうちの少なくとも1つであるときに前記eCall非アクティビティ手順を実行するステップを備える、請求項8に記載の方法。
【請求項１０】
前記ワイヤレスネットワークからデタッチする前記ステップが、IMSIデタッチまたは複合GPRSデタッチを実行するステップを備える、請求項9に記載の方法。
【請求項１１】
前記第1のタイマーを開始する前記ステップが、前記GSM(登録商標)アクセスまたは前記UMTSアクセスから前記LTEアクセスへの前記システム間変更に基づき、前記方法が、
前記UEによって、前記GSM(登録商標)アクセスまたは前記UMTSアクセスを使用する前記通信セッションを確立するステップと、
前記UEによって、前記GSM(登録商標)アクセスまたは前記UMTSアクセスを使用する前記通信セッションを解放するステップと、
前記UEによって、前記GSM(登録商標)アクセスまたは前記UMTSアクセスを使用する前記通信セッションの前記解放に基づいて、第2のタイマーを開始するステップと、
前記UEによって、前記GSM(登録商標)アクセスまたは前記UMTSアクセスから前記LTEアクセスへの前記システム間変更を実行するステップと、
前記UEによって、前記GSM(登録商標)アクセスまたは前記UMTSアクセスから前記LTEアクセスへの前記システム間変更の後に前記第2のタイマーに残された時間を用いて前記第1のタイマーを開始するステップと、
前記UEによって、前記第2のタイマーを停止するステップと
をさらに備える、請求項1に記載の方法。
【請求項１２】
前記第1のタイマーが満了したときに前記eCall非アクティビティ手順を実行する前記ステップが、前記第1のタイマーが満了し、前記UEが前記LTEアクセスに対してアイドル状態であるときに前記eCall非アクティビティ手順を実行するステップを備える、請求項11に記載の方法。
【請求項１３】
前記ワイヤレスネットワークからデタッチする前記ステップが、デタッチまたは複合デタッチを実行するステップを備える、請求項12に記載の方法。
【請求項１４】
eCall専用モードのユーザ機器(UE)の無線アクセス技術(RAT)間モビリティをサポートするための装置であって、
前記UEの少なくとも1つのプロセッサを備え、前記少なくとも1つのプロセッサが、
第1のeCallまたは第1のテスト/再構成呼のための通信セッションを確立することと、
前記第1のeCallまたは前記第1のテスト/再構成呼のための前記通信セッションを解放することと、
(i)前記UEによる前記通信セッションに関するユニバーサルモバイルテレコミュニケーションズサービス(UMTS)アクセスのためのパケット交換(PS)シグナリング接続の解放、(ii)前記UEにおける汎用パケット無線サービス(GPRS)のためのREADYタイマーの満了であって、前記READYタイマーは、LTEアクセスからモバイル通信用グローバルシステム(GSM(登録商標))-GPRSアクセスへの前記通信セッションのPSハンドオーバの後に前記UEによって開始されたものである、READYタイマーの満了、(iii)前記UEによるLTEアクセスからGSM(登録商標)-GPRSアクセスまたはUMTSアクセスへのシステム間変更、あるいは(iv)前記UEによるGSM(登録商標)アクセスまたはUMTSアクセスからLTEアクセスへのシステム間変更のうちの少なくとも1つに基づいて、第1のタイマーを開始することと、
前記第1のタイマーが満了したときにeCall非アクティビティ手順を実行することであって、前記eCall非アクティビティ手順は、ワイヤレスネットワークからデタッチすることと、第2のeCallまたは第2のテスト/再構成呼がない場合にシグナリングを前記ワイヤレスネットワークに送信するのを控えることとを備える、ことと
を行うように構成される、装置。
【請求項１５】
前記少なくとも1つのプロセッサが前記第1のタイマーを開始するように構成されることが、前記通信セッションに関する前記UMTSアクセスのための前記PSシグナリング接続の前記解放に基づき、前記少なくとも1つのプロセッサが、
LTEアクセスを使用する前記通信セッションを確立することと、
前記LTEアクセスから前記UMTSアクセスへの前記通信セッションのハンドオーバを実行することと、
前記UMTSアクセスを使用する前記通信セッションを解放することと
を行うようにさらに構成される、請求項14に記載の装置。
【請求項１６】
前記第1のタイマーが満了したときに前記少なくとも1つのプロセッサが前記eCall非アクティビティ手順を実行するように構成されることが、前記第1のタイマーが満了し、前記UEが、前記UMTSアクセスに対して、回線交換(CS)アイドル状態、PS登録アイドル状態、PS未登録状態、PSヌル状態、またはこれらの任意の組合せのうちの少なくとも1つであるときに前記少なくとも1つのプロセッサが前記eCall非アクティビティ手順を実行するように構成されることを備える、請求項15に記載の装置。
【請求項１７】
前記少なくとも1つのプロセッサが前記ワイヤレスネットワークからデタッチするように構成されることが、前記少なくとも1つのプロセッサがIMSIデタッチまたは複合GPRSデタッチを実行するように構成されることを備える、請求項16に記載の装置。
【請求項１８】
前記少なくとも1つのプロセッサが前記第1のタイマーを開始するように構成されることが、GPRSのための前記READYタイマーの前記満了に基づき、前記少なくとも1つのプロセッサが、
LTEアクセスを使用する前記通信セッションを確立することと、
前記LTEアクセスから前記GSM(登録商標)-GPRSアクセスへの前記通信セッションの前記PSハンドオーバを実行することと、
前記GSM(登録商標)-GPRSアクセスを使用する前記通信セッションを解放することと
を行うようにさらに構成される、請求項14に記載の装置。
【請求項１９】
前記第1のタイマーが満了したときに前記少なくとも1つのプロセッサが前記eCall非アクティビティ手順を実行するように構成されることが、前記第1のタイマーが満了し、前記UEが、前記GSM(登録商標)-GPRSアクセスに対して、CSアイドル状態、READYタイマーが動作中ではないPS登録状態、PS未登録状態、PSヌル状態、またはこれらの任意の組合せのうちの少なくとも1つであるときに前記少なくとも1つのプロセッサが前記eCall非アクティビティ手順を実行するように構成されることを備える、請求項18に記載の装置。
【請求項２０】
前記少なくとも1つのプロセッサが前記ワイヤレスネットワークからデタッチするように構成されることが、前記少なくとも1つのプロセッサがIMSIデタッチまたは複合GPRSデタッチを実行するように構成されることを備える、請求項19に記載の装置。
【請求項２１】
前記少なくとも1つのプロセッサが前記第1のタイマーを開始するように構成されることが、前記LTEアクセスから前記GSM(登録商標)-GPRSアクセスまたは前記UMTSアクセスへの前記システム間変更に基づき、前記少なくとも1つのプロセッサが、
前記LTEアクセスを使用する前記通信セッションを確立することと、
前記LTEアクセスを使用する前記通信セッションを解放することと、
前記LTEアクセスを使用する前記通信セッションの前記解放に基づいて、第2のタイマーを開始することと、
前記LTEアクセスから前記GSM(登録商標)-GPRSアクセスまたは前記UMTSアクセスへの前記システム間変更を実行することと、
前記LTEアクセスから前記GSM(登録商標)-GPRSアクセスまたは前記UMTSアクセスへの前記システム間変更の後に前記第2のタイマーに残された時間を用いて前記第1のタイマーを開始することと、
前記第2のタイマーを停止することと
を行うようにさらに構成される、請求項14に記載の装置。
【請求項２２】
前記第1のタイマーが満了したときに前記少なくとも1つのプロセッサが前記eCall非アクティビティ手順を実行するように構成されることが、前記第1のタイマーが満了し、前記UEが、CSアイドル状態、PS未登録状態、PSヌル状態、READYタイマーが動作中ではないPS登録状態、PS登録アイドル状態、またはこれらの任意の組合せのうちの少なくとも1つであるときに前記少なくとも1つのプロセッサが前記eCall非アクティビティ手順を実行するように構成されることを備える、請求項21に記載の装置。
【請求項２３】
前記少なくとも1つのプロセッサが前記ワイヤレスネットワークからデタッチするように構成されることが、前記少なくとも1つのプロセッサがIMSIデタッチまたは複合GPRSデタッチを実行するように構成されることを備える、請求項22に記載の装置。
【請求項２４】
前記少なくとも1つのプロセッサが前記第1のタイマーを開始するように構成されることが、前記GSM(登録商標)アクセスまたは前記UMTSアクセスから前記LTEアクセスへの前記システム間変更に基づき、前記少なくとも1つのプロセッサが、
前記GSM(登録商標)アクセスまたは前記UMTSアクセスを使用する前記通信セッションを確立することと、
前記GSM(登録商標)アクセスまたは前記UMTSアクセスを使用する前記通信セッションを解放することと、
前記GSM(登録商標)アクセスまたは前記UMTSアクセスを使用する前記通信セッションの前記解放に基づいて、第2のタイマーを開始することと、
前記GSM(登録商標)アクセスまたは前記UMTSアクセスから前記LTEアクセスへの前記システム間変更を実行することと、
前記GSM(登録商標)アクセスまたは前記UMTSアクセスから前記LTEアクセスへの前記システム間変更の後に前記第2のタイマーに残された時間を用いて前記第1のタイマーを開始することと、
前記第2のタイマーを停止するすることと
を行うようにさらに構成される、請求項14に記載の装置。
【請求項２５】
前記第1のタイマーが満了したときに前記少なくとも1つのプロセッサが前記eCall非アクティビティ手順を実行するように構成されることが、前記第1のタイマーが満了し、前記UEが前記LTEアクセスに対してアイドル状態であるときに前記少なくとも1つのプロセッサが前記eCall非アクティビティ手順を実行するように構成されることを備える、請求項24に記載の装置。
【請求項２６】
前記少なくとも1つのプロセッサが前記ワイヤレスネットワークからデタッチするように構成されることが、前記少なくとも1つのプロセッサがデタッチまたは複合デタッチを実行するように構成されることを備える、請求項25に記載の装置。
【請求項２７】
eCall専用モードのユーザ機器(UE)の無線アクセス技術(RAT)間モビリティをサポートするためのコンピュータ実行可能命令を記憶するコンピュータ可読記憶媒体であって、前記コンピュータ実行可能命令が、
第1のeCallまたは第1のテスト/再構成呼のための通信セッションを確立するように前記UEに命令する少なくとも1つの命令と、
前記第1のeCallまたは前記第1のテスト/再構成呼のための前記通信セッションを解放するように前記UEに命令する少なくとも1つの命令と、
(i)前記UEによる前記通信セッションに関するユニバーサルモバイルテレコミュニケーションズサービス(UMTS)アクセスのためのパケット交換(PS)シグナリング接続の解放、(ii)前記UEにおける汎用パケット無線サービス(GPRS)のためのREADYタイマーの満了であって、前記READYタイマーは、LTEアクセスからモバイル通信用グローバルシステム(GSM(登録商標))-GPRSアクセスへの前記通信セッションのPSハンドオーバの後に前記UEによって開始されたものである、READYタイマーの満了、(iii)前記UEによるLTEアクセスからGSM(登録商標)-GPRSアクセスまたはUMTSアクセスへのシステム間変更、あるいは(iv)前記UEによるGSM(登録商標)アクセスまたはUMTSアクセスからLTEアクセスへのシステム間変更のうちの少なくとも1つに基づいて、第1のタイマーを開始するように前記UEに命令する少なくとも1つの命令と、
前記第1のタイマーが満了したときにeCall非アクティビティ手順を実行するように前記UEに命令する少なくとも1つの命令であって、前記eCall非アクティビティ手順は、ワイヤレスネットワークからデタッチすることと、第2のeCallまたは第2のテスト/再構成呼がない場合にシグナリングを前記ワイヤレスネットワークに送信するのを控えることとを備える、少なくとも1つの命令と
を備える、コンピュータ可読記憶媒体。
【請求項２８】
前記第1のタイマーが、前記通信セッションに関する前記UMTSアクセスのための前記PSシグナリング接続の前記解放に基づいて開始され、前記コンピュータ可読記憶媒体が、
LTEアクセスを使用する前記通信セッションを確立するように前記UEに命令する少なくとも1つの命令と、
前記LTEアクセスから前記UMTSアクセスへの前記通信セッションのハンドオーバを実行するように前記UEに命令する少なくとも1つの命令と、
前記UMTSアクセスを使用する前記通信セッションを解放するように前記UEに命令する少なくとも1つの命令と
をさらに備える、請求項27に記載のコンピュータ可読記憶媒体。
【請求項２９】
前記第1のタイマーが満了したときに前記eCall非アクティビティ手順を実行するように前記UEに命令する前記少なくとも1つの命令が、前記第1のタイマーが満了し、前記UEが、前記UMTSアクセスに対して、回線交換(CS)アイドル状態、PS登録アイドル状態、PS未登録状態、PSヌル状態、またはこれらの任意の組合せのうちの少なくとも1つであるときに前記eCall非アクティビティ手順を実行するように前記UEに命令する少なくとも1つの命令を備える、請求項28に記載のコンピュータ可読記憶媒体。
【請求項３０】
前記ワイヤレスネットワークからデタッチするように前記UEに命令する前記少なくとも1つの命令が、国際モバイル加入者識別情報(IMSI)デタッチまたは複合GPRSデタッチを実行するように前記UEに命令する少なくとも1つの命令を備える、請求項29に記載のコンピュータ可読記憶媒体。
【請求項３１】
前記第1のタイマーが、GPRSのための前記READYタイマーの前記満了に基づいて開始され、前記コンピュータ可読記憶媒体が、
LTEアクセスを使用する前記通信セッションを確立するように前記UEに命令する少なくとも1つの命令と、
前記LTEアクセスから前記GSM(登録商標)-GPRSアクセスへの前記通信セッションの前記PSハンドオーバを実行するように前記UEに命令する少なくとも1つの命令と、
前記GSM(登録商標)-GPRSアクセスを使用する前記通信セッションを解放するように前記UEに命令する少なくとも1つの命令と
をさらに備える、請求項27に記載のコンピュータ可読記憶媒体。
【請求項３２】
前記第1のタイマーが満了したときに前記eCall非アクティビティ手順を実行するように前記UEに命令する前記少なくとも1つの命令が、前記第1のタイマーが満了し、前記UEが、前記GSM(登録商標)-GPRSアクセスに対して、CSアイドル状態、READYタイマーが動作中ではないPS登録状態、PS未登録状態、PSヌル状態、またはこれらの任意の組合せのうちの少なくとも1つであるときに前記eCall非アクティビティ手順を実行するように前記UEに命令する少なくとも1つの命令を備える、請求項31に記載のコンピュータ可読記憶媒体。
【請求項３３】
前記ワイヤレスネットワークからデタッチするように前記UEに命令する前記少なくとも1つの命令が、IMSIデタッチまたは複合GPRSデタッチを実行するように前記UEに命令する少なくとも1つの命令を備える、請求項32に記載のコンピュータ可読記憶媒体。
【請求項３４】
前記第1のタイマーが、前記LTEアクセスから前記GSM(登録商標)-GPRSアクセスまたは前記UMTSアクセスへの前記システム間変更に基づいて開始され、前記コンピュータ可読記憶媒体が、
前記LTEアクセスを使用する前記通信セッションを確立するように前記UEに命令する少なくとも1つの命令と、
前記LTEアクセスを使用する前記通信セッションを解放するように前記UEに命令する少なくとも1つの命令と、
前記LTEアクセスを使用する前記通信セッションの前記解放に基づいて、第2のタイマーを開始するように前記UEに命令する少なくとも1つの命令と、
前記LTEアクセスから前記GSM(登録商標)-GPRSアクセスまたは前記UMTSアクセスへの前記システム間変更を実行するように前記UEに命令する少なくとも1つの命令と、
前記LTEアクセスから前記GSM(登録商標)-GPRSアクセスまたは前記UMTSアクセスへの前記システム間変更の後に前記第2のタイマーに残された時間を用いて前記第1のタイマーを開始するように前記UEに命令する少なくとも1つの命令と、
前記第2のタイマーを停止するように前記UEに命令する少なくとも1つの命令と
をさらに備える、請求項27に記載のコンピュータ可読記憶媒体。
【請求項３５】
前記第1のタイマーが満了したときに前記eCall非アクティビティ手順を実行するように前記UEに命令する前記少なくとも1つの命令が、前記第1のタイマーが満了し、前記UEが、CSアイドル状態、PS未登録状態、PSヌル状態、READYタイマーが動作中ではないPS登録状態、PS登録アイドル状態、またはこれらの任意の組合せのうちの少なくとも1つであるときに前記eCall非アクティビティ手順を実行するように前記UEに命令する少なくとも1つの命令を備える、請求項34に記載のコンピュータ可読記憶媒体。
【請求項３６】
前記ワイヤレスネットワークからデタッチするように前記UEに命令する前記少なくとも1つの命令が、IMSIデタッチまたは複合GPRSデタッチを実行するように前記UEに命令する少なくとも1つの命令を備える、請求項35に記載のコンピュータ可読記憶媒体。
【請求項３７】
前記第1のタイマーが、前記GSM(登録商標)アクセスまたは前記UMTSアクセスから前記LTEアクセスへの前記システム間変更に基づいて開始され、前記コンピュータ可読記憶媒体が、
前記GSM(登録商標)アクセスまたは前記UMTSアクセスを使用する前記通信セッションを確立するように前記UEに命令する少なくとも1つの命令と、
前記GSM(登録商標)アクセスまたは前記UMTSアクセスを使用する前記通信セッションを解放するように前記UEに命令する少なくとも1つの命令と、
前記GSM(登録商標)アクセスまたは前記UMTSアクセスを使用する前記通信セッションの前記解放に基づいて、第2のタイマーを開始するように前記UEに命令する少なくとも1つの命令と、
前記GSM(登録商標)アクセスまたは前記UMTSアクセスから前記LTEアクセスへの前記システム間変更を実行するように前記UEに命令する少なくとも1つの命令と、
前記GSM(登録商標)アクセスまたは前記UMTSアクセスから前記LTEアクセスへの前記システム間変更の後に前記第2のタイマーに残された時間を用いて前記第1のタイマーを開始するように前記UEに命令する少なくとも1つの命令と、
前記第2のタイマーを停止するように前記UEに命令する少なくとも1つの命令と
をさらに備える、請求項27に記載のコンピュータ可読記憶媒体。
【請求項３８】
前記第1のタイマーが満了したときに前記eCall非アクティビティ手順を実行するように前記UEに命令する前記少なくとも1つの命令が、前記第1のタイマーが満了し、前記UEが前記LTEアクセスに対してアイドル状態であるときに前記eCall非アクティビティ手順を実行するように前記UEに命令する少なくとも1つの命令を備える、請求項37に記載のコンピュータ可読記憶媒体。
【請求項３９】
前記ワイヤレスネットワークからデタッチするように前記UEに命令する前記少なくとも1つの命令が、デタッチまたは複合デタッチを実行するように前記UEに命令する少なくとも1つの命令を備える、請求項38に記載のコンピュータ可読記憶媒体。
【請求項４０】
eCall専用モードのユーザ機器(UE)の無線アクセス技術(RAT)間モビリティをサポートするための装置であって、
前記UEの処理するための手段を備え、前記手段が、
第1のeCallまたは第1のテスト/再構成呼のための通信セッションを確立することと、
前記第1のeCallまたは前記第1のテスト/再構成呼のための前記通信セッションを解放することと、
(i)前記UEによる前記通信セッションに関するユニバーサルモバイルテレコミュニケーションズサービス(UMTS)アクセスのためのパケット交換(PS)シグナリング接続の解放、(ii)前記UEにおける汎用パケット無線サービス(GPRS)のためのREADYタイマーの満了であって、前記READYタイマーは、LTEアクセスからモバイル通信用グローバルシステム(GSM(登録商標))-GPRSアクセスへの前記通信セッションのPSハンドオーバの後に前記UEによって開始されたものである、READYタイマーの満了、(iii)前記UEによるLTEアクセスからGSM(登録商標)-GPRSアクセスまたはUMTSアクセスへのシステム間変更、あるいは(iv)前記UEによるGSM(登録商標)アクセスまたはUMTSアクセスからLTEアクセスへのシステム間変更のうちの少なくとも1つに基づいて、第1のタイマーを開始することと、
前記第1のタイマーが満了したときにeCall非アクティビティ手順を実行することであって、前記eCall非アクティビティ手順は、ワイヤレスネットワークからデタッチすることと、第2のeCallまたは第2のテスト/再構成呼がない場合にシグナリングを前記ワイヤレスネットワークに送信するのを控えることとを備える、ことと
を行うように構成される、装置。
【発明の詳細な説明】
【技術分野】
【０００１】
関連出願の相互参照
本特許出願は、本出願の譲受人に譲渡され、その全体が参照により本明細書に明確に組み込まれる、2017年7月25日に出願された「SYSTEMS AND METHODS TO IMPROVE MOBILITY FOR A MOBILE DEVICE IN ECALL-ONLY MODE」と題するギリシャ特許出願第20170100351号の利益を主張する。
【０００２】
本開示の態様は、一般に、電気通信に関し、より詳細には、eCall専用モードのユーザ機器(UE)または他のモバイルデバイスのためのRAT(無線アクセス技術)間モビリティに関する。
【背景技術】
【０００３】
1999年に、欧州委員会は、事故または他の緊急事態の後の車両からの自動化された緊急呼(「eCall」と呼ばれる)を介して交通安全を改善するためのイニシアチブを開始した。2006年に、GSM(登録商標)欧州は、eCallの間の車載システム(IVS:In Vehicle System)から公共安全応答ポイント(PSAP:Public Safety Answering Point)への最小データセット(MSD:minimum set of data)の転送のための考えられるソリューションの研究を終え、帯域内モデムソリューションを推奨した。2008年から2009年に、eCall専用モード用に選択された帯域内モデムソリューションおよびサポートが、たとえば、技術仕様書(TS)21.101、24.008、26.267において、リリース8におけるモバイル通信用グローバルシステム(GSM(登録商標))およびユニバーサルモバイルテレコミュニケーションシステム(UMTS)に対して、3GPPにおいて規格化された。このリリースは、インターネットプロトコル(IP)マルチメディアシステム(IMS)緊急呼に対するサポートを含んでいなかった。むしろ、このソリューションは、回線交換(CS)緊急呼(3GPP TS 12)に基づいていた。リリース8ソリューションは、「eCall over CS」、「帯域内eCall」、「CS eCall」、または「CSドメインにおけるeCall」と呼ばれる。
【０００４】
リリース14では、3GPPは、たとえば、それらの全体が参照により本明細書に組み込まれる、3GPP TS 21.101、23.401、および24.301において、発展型ユニバーサル地上波無線アクセスネットワーク(E-UTRAN)におけるIMSを介した緊急ベアラサービスを使用するeCallのパケット交換(PS)ベースのバージョンを規定した。リリース14ソリューションは、「eCall over IMS」、「次世代(NG)eCall」、または「PSドメインにおけるeCall」と呼ばれる。
【０００５】
eCall over CSとeCall over IMSの両方に対して、「eCall専用モード」と呼ばれる特殊構成モードが規定された。その結果、UEがユニバーサル加入者識別モジュール(USIM)を介してeCall専用モードで構成されるとき、eCallを開始しようと試みるときおよびその後のeCallの間、あるいはユーザからの要求に応じてテストまたは再構成呼を開始しようと試みるときおよびその後のテストまたは再構成呼の間を除いて、UEはパブリックランドモバイルネットワーク(PLMN)上での登録を含むモビリティ管理手順を実行しない。加えて、PSAPによってコールバックされる能力を有するUEの場合、UEは、eCallまたはテスト/再構成呼の終了後の限られた持続時間にわたってモビリティ管理手順を継続することが可能である。(標準化された非アクティビティタイマーによって識別される)この限られた持続時間の後、UEはネットワークからの登録を解除する。車両内に存在するeCall対応UEは、eCallまたはテスト/再構成呼を開始する必要があるときを除いて、ネットワークにアクセスすることまたはネットワークによって到達可能であることを必要としないので、この特殊構成モードの目的は、これらのUEに不要なモビリティ管理手順を用いてネットワークをロードさせることを回避することである。
【０００６】
リリース8においてeCallが規定されたとき、eCallの唯一の利用可能なバージョンはeCall over CSであった。したがって、eCall専用モードのUEはCS呼(CS eCallまたはCSテスト/再構成呼のいずれか)しか実行しないであろうと想定されたので、eCall専用モードのUEのために、CS固有の手順のみが定義された。リリース14においてeCall over IMSが規定されたとき、ボイスオーバーLTE(VoLTE)カバレージが依然としてかなり長い間どこでも利用可能であるとは限らないという事実に対処するために、3GPPは、eCall over IMSをサポートするUEはeCall over CSもサポートしなければならないことを義務付けた。この要件は、eCall over IMSをサポートするUEはPSサービスとCSサービスの両方が可能でなければならないことを意味する。
【０００７】
eCall over IMSのPS-CS間の単一無線音声通信継続(SRVCC:Single Radio Voice Call Continuity)ハンドオーバを可能にするための変更が行われるので、UEは無線アクセス技術(RAT)間モビリティ(たとえば、E-UTRANとUTRANまたはGSM(登録商標)/GSM(登録商標)進化型(EDGE)無線アクセスネットワーク(GERAN)との間の、アイドルモードまたは接続モードのいずれかにおけるハンドオーバ)も実行し得ることが認められた。しかしながら、RAT間モビリティの間およびその後のモビリティ管理手順については考慮されなかった。
【発明の概要】
【課題を解決するための手段】
【０００８】
以下は、本明細書で開示する1つまたは複数の態様に関する簡略化された概要を提示する。したがって、以下の概要は、すべての企図される態様に関する広範な概観と見なされるべきではなく、また、以下の概要は、すべての企図される態様に関する主要もしくは重要な要素を識別するか、または任意の特定の態様に関連付けられた範囲を定めるものと見なされるべきでもない。したがって、以下の概要は、以下で提示する詳細な説明に先立って、本明細書で開示する機構に関する1つまたは複数の態様に関するいくつかの概念を簡略化された形で提示するという唯一の目的を有する。
【０００９】
一態様では、eCall専用モードのUEのRAT間モビリティをサポートするための方法は、UEによって、第1のeCallまたは第1のテスト/再構成呼のための通信セッションを確立するステップと、UEによって、第1のeCallまたは第1のテスト/再構成呼のための通信セッションを解放するステップと、UEによって、(i)UEによる通信セッションに関するUMTSアクセスのためのPSシグナリング接続の解放、(ii)UEにおける汎用パケット無線サービス(GPRS)のためのREADYタイマーの満了であって、READYタイマーは、LTEアクセスからGSM(登録商標)-GPRSアクセスへの通信セッションのPSハンドオーバの後にUEによって開始されたものである、READYタイマーの満了、(iii)UEによるLTEアクセスからGSM(登録商標)-GPRSアクセスまたはUMTSアクセスへのシステム間変更、あるいは(iv)UEによるGSM(登録商標)アクセスまたはUMTSアクセスからLTEアクセスへのシステム間変更のうちの少なくとも1つに基づいて、第1のタイマーを開始するステップと、UEによって、第1のタイマーが満了したときにeCall非アクティビティ手順を実行するステップであって、eCall非アクティビティ手順は、ワイヤレスネットワークからデタッチすることと、第2のeCallまたは第2のテスト/再構成呼がない場合にシグナリングをワイヤレスネットワークに送信するのを控えることとを備える、ステップとを含む。
【００１０】
一態様では、eCall専用モードのUEのRAT間モビリティをサポートするための装置は、UEの少なくとも1つのプロセッサを含み、少なくとも1つのプロセッサは、第1のeCallまたは第1のテスト/再構成呼のための通信セッションを確立することと、第1のeCallまたは第1のテスト/再構成呼のための通信セッションを解放することと、(i)UEによる通信セッションに関するUMTSアクセスのためのPSシグナリング接続の解放、(ii)UEにおけるGPRSのためのREADYタイマーの満了であって、READYタイマーは、LTEアクセスからGSM(登録商標)-GPRSアクセスへの通信セッションのPSハンドオーバの後にUEによって開始されたものである、READYタイマーの満了、(iii)UEによるLTEアクセスからGSM(登録商標)-GPRSアクセスまたはUMTSアクセスへのシステム間変更、あるいは(iv)UEによるGSM(登録商標)アクセスまたはUMTSアクセスからLTEアクセスへのシステム間変更のうちの少なくとも1つに基づいて、第1のタイマーを開始することと、第1のタイマーが満了したときにeCall非アクティビティ手順を実行することであって、eCall非アクティビティ手順は、ワイヤレスネットワークからデタッチすることと、第2のeCallまたは第2のテスト/再構成呼がない場合にシグナリングをワイヤレスネットワークに送信するのを控えることとを備える、こととを行うように構成される。
【００１１】
一態様では、eCall専用モードのUEのRAT間モビリティをサポートするためのコンピュータ実行可能命令を記憶する非一時的コンピュータ可読媒体は、第1のeCallまたは第1のテスト/再構成呼のための通信セッションを確立するようにUEに命令する少なくとも1つの命令と、第1のeCallまたは第1のテスト/再構成呼のための通信セッションを解放するようにUEに命令する少なくとも1つの命令と、(i)UEによる通信セッションに関するUMTSアクセスのためのパケット交換(PS)シグナリング接続の解放、(ii)UEにおけるGPRSのためのREADYタイマーの満了であって、READYタイマーは、LTEアクセスからGSM(登録商標)-GPRSアクセスへの通信セッションのPSハンドオーバの後にUEによって開始されたものである、READYタイマーの満了、(iii)UEによるLTEアクセスからGSM(登録商標)-GPRSアクセスまたはUMTSアクセスへのシステム間変更、あるいは(iv)UEによるGSM(登録商標)アクセスまたはUMTSアクセスからLTEアクセスへのシステム間変更のうちの少なくとも1つに基づいて、第1のタイマーを開始するようにUEに命令する少なくとも1つの命令と、第1のタイマーが満了したときにeCall非アクティビティ手順を実行するようにUEに命令する少なくとも1つの命令であって、eCall非アクティビティ手順は、ワイヤレスネットワークからデタッチすることと、第2のeCallまたは第2のテスト/再構成呼がない場合にシグナリングをワイヤレスネットワークに送信するのを控えることとを備える、少なくとも1つの命令とを備えるコンピュータ実行可能命令を含む。
【００１２】
一態様では、eCall専用モードのUEのRAT間モビリティをサポートするための装置は、UEの処理するための手段を含み、この手段は、第1のeCallまたは第1のテスト/再構成呼のための通信セッションを確立することと、第1のeCallまたは第1のテスト/再構成呼のための通信セッションを解放することと、(i)UEによる通信セッションに関するUMTSアクセスのためのPSシグナリング接続の解放、(ii)UEにおけるGPRSのためのREADYタイマーの満了であって、READYタイマーは、LTEアクセスからGSM(登録商標)-GPRSアクセスへの通信セッションのPSハンドオーバの後にUEによって開始されたものである、READYタイマーの満了、(iii)UEによるLTEアクセスからGSM(登録商標)-GPRSアクセスまたはUMTSアクセスへのシステム間変更、あるいは(iv)UEによるGSM(登録商標)アクセスまたはUMTSアクセスからLTEアクセスへのシステム間変更のうちの少なくとも1つに基づいて、第1のタイマーを開始することと、第1のタイマーが満了したときにeCall非アクティビティ手順を実行することであって、eCall非アクティビティ手順は、ワイヤレスネットワークからデタッチすることと、第2のeCallまたは第2のテスト/再構成呼がない場合にシグナリングをワイヤレスネットワークに送信するのを控えることとを備える、こととを行うように構成される。
【００１３】
本明細書で開示する態様に関連付けられた他の目的および利点は、添付の図面および詳細な説明に基づいて、当業者に明らかとなろう。
【００１４】
添付の図面は、本開示の様々な態様の説明を助けるために提示され、態様の例示のためにのみ提供されており、態様を限定するためのものではない。
【図面の簡単な説明】
【００１５】
【図１Ａ】本明細書で説明する技法が実践され得る例示的なワイヤレス通信システムを示す図である。
【図１Ｂ】本明細書で説明する技法が実践され得る例示的なワイヤレス通信システムを示す図である。
【図１Ｃ】本明細書で説明する技法が実践され得る例示的なワイヤレス通信システムを示す図である。
【図２】本開示の様々な態様による、CS eCallを確立するための例示的なメッセージフローである。
【図３】本開示の様々な態様による、NG eCallを確立するための例示的なメッセージフローである。
【図４】本開示の少なくとも1つの態様による、UEがアイドルモードである間の、LTEセルからGSM(登録商標)/UMTSセルへのUEのシステム間変更を示す例示的なフローである。
【図５】本開示の少なくとも1つの態様による、UEがアイドルモードである間の、GSM(登録商標)/UMTSセルからLTEセルへのUEのシステム間変更を示す例示的なフローである。
【図６】本開示の少なくとも1つの態様による、UEが接続モードである間の、LTEセルからGSM(登録商標)/UMTSセルへのUEのハンドオーバを示す例示的なフローである。
【図７】本開示の少なくとも1つの態様による、eCall専用モードのUEのRAT間モビリティをサポートするための例示的な方法を示す図である。
【図８】ワイヤレス通信ノードにおいて用いられる場合があり、本明細書で教示するような通信をサポートするように構成される場合がある構成要素のいくつかの例示的な態様の簡略ブロック図である。
【発明を実施するための形態】
【００１６】
いくつかの例示的な実装形態によれば、様々な図面における同様の参照番号および英数字シーケンスは、同様の要素を示す。加えて、要素の第1の数字の後にハイフンおよび第2の数字または文字を続けることによって、その要素の複数のインスタンスが示され得る。たとえば、要素160の複数のインスタンスは、160-1、160-2、160-3などとして、または160-a、160-b、160-cなどとして示され得る。第1の数字のみを使用してそのような要素を指すとき、その要素の任意のインスタンスが理解されるべきである(たとえば、前述の例における要素160は、要素160-1、160-2、および160-3ならびに/または要素160-a、160-b、および160-cを指すことになる)。
【００１７】
eCall専用モードのUEの改善されたモビリティをサポートするための技法が開示される。一態様では、UEは、第1のeCallまたは第1のテスト/再構成呼のための通信セッションを確立することと、第1のeCallまたは第1のテスト/再構成呼のための通信セッションを解放することと、(i)UEによる通信セッションに関するUMTSアクセスのためのPSシグナリング接続の解放、(ii)UEにおけるGPRSのためのREADYタイマーの満了であって、READYタイマーは、LTEアクセスからGSM(登録商標)-GPRSアクセスへの通信セッションのPSハンドオーバの後にUEによって開始されたものである、READYタイマーの満了、(iii)UEによるLTEアクセスからGSM(登録商標)-GPRSアクセスまたはUMTSアクセスへのシステム間変更、あるいは(iv)UEによるGSM(登録商標)アクセスまたはUMTSアクセスからLTEアクセスへのシステム間変更のうちの少なくとも1つに基づいて、第1のタイマーを開始することと、第1のタイマーが満了したときにeCall非アクティビティ手順を実行することであって、eCall非アクティビティ手順は、ワイヤレスネットワークからデタッチすることと、第2のeCallまたは第2のテスト/再構成呼がない場合にシグナリングをワイヤレスネットワークに送信するのを控えることとを備える、こととを行う。
【００１８】
本開示のこれらの態様および他の態様は、例示の目的で提供される様々な例を対象とする以下の説明および関連する図面において提供される。本開示の範囲から逸脱することなく、代替の態様が考案され得る。加えて、より関連性のある詳細を不明瞭にしないように、本開示のよく知られている態様は詳細に説明されないことがあるか、または省略されることがある。
【００１９】
以下で説明する情報および信号は、様々な異なる技術および技法のいずれかを使用して表され得ることを当業者は諒解されよう。たとえば、以下の説明全体にわたって参照され得るデータ、命令、コマンド、情報、信号、ビット、シンボル、およびチップは、部分的に特定の適用例、部分的に所望の設計、部分的に対応する技術などに応じて、電圧、電流、電磁波、磁場もしくは磁性粒子、光場もしくは光学粒子、またはそれらの任意の組合せによって表され得る。
【００２０】
さらに、多くの態様について、たとえば、コンピューティングデバイスの要素によって実行されるべきアクションのシーケンスに関して説明する。本明細書で説明する様々なアクションは、特定の回路(たとえば、特定用途向け集積回路(ASIC))によって、1つもしくは複数のプロセッサによって実行されるプログラム命令によって、または両方の組合せによって実行され得ることが認識されよう。加えて、本明細書で説明する態様の各々について、任意のそのような態様の対応する形態は、たとえば、説明するアクションを実行する「ように構成された論理」として実装される場合がある。
【００２１】
テレマティックス拡張型緊急呼は、追加のテレマティックスデータがユーザ機器(UE)から公共安全応答ポイント(PSAP)にまたはサードパーティサービスプロバイダ(TSP)に転送される、車両から引き起こされる緊急呼であり得る。テレマティックスデータは、車両の識別情報、車両のタイプ、車両の現在のロケーション、車両の直近のロケーション、車両の乗員の数、車両内の任意の危険貨物などの、緊急呼に関する追加の情報を提供し得る。PSAPは、適切な公共安全応答を判定するのを助けるためにテレマティックスデータを使用し得る。テレマティックス拡張型緊急呼は、「eCall」(たとえば、欧州連合(EU)内で行われる場合)、「eCall over CS」(たとえば、回線交換(CS)ワイヤレスネットワークから発信されるとき)、または「eCall over IMS」(たとえば、3GPPロングタームエボリューション(LTE)ネットワークなどのIPマルチメディアシステム(IMS)から発信されるとき)と呼ばれることがある。「eCall over CS」は、「帯域内eCall」、「CS eCall」、または「CSドメインにおけるeCall」と呼ばれることもある。「eCall over IMS」は、「次世代(NG)eCall」または「パケット交換(PS)ドメインにおけるeCall」と呼ばれることがある。「eCall」という用語は、典型的には、eCall over IMSまたはeCall over CSのいずれかであり得るテレマティックス拡張型緊急呼を指すために使用され得る。「eCall」という用語はまた、eCallのタイプがすでに知られている文脈において、eCall over IMSまたはeCall over CS(ただし両方ではない)を明確に指すために使用され得る。eCallを発信するUEは、IVSの一部であってもよく、移動局(MS)、モバイルデバイス、ワイヤレスデバイス、ワイヤレス端末、端末などと呼ばれることもある。テレマティックスデータは、「最小データセット」(MSD)(たとえば、EUにおいて引き起こされたeCallの場合)または「車両緊急データセット」(VEDS:Vehicular Emergency Data Set)(たとえば、北米におけるテレマティックス拡張型緊急呼の場合)と呼ばれることがある。
【００２２】
図1Aは、訪問先ネットワーク102と、ホームネットワーク104と、サードパーティネットワーク106とを含み得る例示的なワイヤレス通信システム100-aを示す。訪問先ネットワーク102は、訪問先パブリックランドモバイルネットワーク(V-PLMN)、サービングネットワークなどと呼ばれることもある。ホームネットワーク104は、ホームPLMN(H-PLMN)と呼ばれることもある。訪問先ネットワーク102は、UE105のためのサービングネットワークであってもよく、UE105は、以下の説明の大半において想定されるように、そのホームネットワーク104からローミング中であってもよい。UE105がローミング中ではない場合、訪問先ネットワーク102およびホームネットワーク104は同じネットワークであることがある。ワイヤレス通信システム100-aは、eCall over CSに適用可能であり得る。
【００２３】
訪問先ネットワーク102は、無線アクセスネットワーク(RAN)120と、モバイル交換センタ(MSC)/ビジターロケーションレジスタ(VLR)130(本明細書ではMSC130とも呼ばれる)と、簡単にするために図1Aに示されていない他のネットワークエンティティとを含み得る。訪問先ネットワーク102は、GSM(登録商標)ネットワーク、広帯域符号分割多元接続(WCDMA(登録商標))ネットワーク、汎用パケット無線サービス(GPRS)アクセスネットワーク、ロングタームエボリューション(LTE)ネットワーク、符号分割多元接続(CDMA)1Xネットワーク、高速パケットデータ(HRPD)ネットワーク、ウルトラモバイルブロードバンド(UMB)ネットワーク、第5世代(5G)ニューラジオ(NR)ネットワークなどのうちの1つまたは複数を含み得る。GSM(登録商標)、WCDMA(登録商標)、GPRS、LTEおよびNRは、「第3世代パートナーシッププロジェクト」(3GPP)と称する団体からの文書に記載されている。CDMA 1XおよびHRPDは、cdma2000の一部であり、cdma2000およびUMBは、「第3世代パートナーシッププロジェクト2」(3GPP2)と称する団体からの文書に記載されている。RAN120は、GERAN、ユニバーサル地上波無線アクセスネットワーク(UTRAN)または発展型UTRAN(E-UTRAN)であってもよい。MSC130は、回線交換呼のためのスイッチング機能を実行してもよく、また、ショートメッセージサービス(SMS)メッセージをルーティングしてもよい。VLR130は、訪問先ネットワーク102に登録した端末に関する登録情報を記憶してもよい。
【００２４】
ホームネットワーク104は、ホームロケーションレジスタ(HLR)/認証センタ(AC)140と、簡単にするために図1Aに示されていない他のネットワークエンティティとを含み得る。HLR140は、ホームネットワーク104のサービスに加入しているUE105などの端末に関するサブスクリプション情報を記憶してもよい。AC140は、ホームネットワーク104のサービスに加入している端末のための認証を実行してもよい。
【００２５】
サードパーティネットワーク106は、選択的ルータ150(たとえば、PSAP選択的ルータ)と、PSAP160と、公衆交換電話網(PSTN)170と、場合によっては、図1Aに示されていない他のネットワークエンティティとを含み得る。選択的ルータ150は、MSC130とPSAP160との間で呼をルーティングしてもよい。PSAP160は、緊急呼に応答することを担うことがあり、緊急センタ(EC)と呼ばれることもある。PSAP160は、政府機関、たとえば、郡または市によって運営または所有され得る。PSTN170は、電話180などの従来の有線電話用の電話サービスを提供してもよい。
【００２６】
図1Aは、訪問先ネットワーク102およびホームネットワーク104に存在し得るネットワークエンティティの一部のみを示す。たとえば、訪問先ネットワーク102は、パケット交換呼および他のサービスをサポートするネットワークエンティティ、ならびに端末ロケーションを取得することを支援するロケーションサーバを含み得る。
【００２７】
UE105は、固定またはモバイルであってもよく、GSM(登録商標)およびCDMA 1Xでは移動局(MS)、WCDMA(登録商標)およびLTEではUE、HRPDではアクセス端末(AT)、セキュアユーザプレーンロケーション(SUPL)の場合はSUPL対応端末(SET)、加入者ユニット、局、端末などと呼ばれることもある。UE105は、セルラーフォンまたは他のワイヤレス通信デバイス、パーソナル通信システム(PCS)デバイス、パーソナルナビゲーションデバイス(PND)、個人情報マネージャ(PIM)、携帯情報端末(PDA)、ラップトップコンピュータ、タブレットコンピュータ、あるいは、ワイヤレス通信および/またはナビゲーション信号を受信することが可能である他の適切なモバイルデバイスなどのデバイスであってもよい。UE105はまた、衛星信号受信、支援データ受信、および/または位置関連処理がそのデバイスにおいて行われるか、またはPNDにおいて行われるかにかかわらず、短距離ワイヤレス接続、赤外線接続、有線接続または他の接続などによってPNDと通信するデバイスであってもよい。また、UE105は、衛星信号受信、支援データ受信、および/または位置関連処理がそのデバイスにおいて行われるか、サーバにおいて行われるか、またはネットワークに関連付けられた別のデバイスにおいて行われるかにかかわらず、インターネット、Wi-Fi、または他のネットワークなどを介してサーバと通信することが可能であるワイヤレス通信デバイス、コンピュータ、ラップトップなどを含む、すべてのデバイスを含むものとする。上記の任意の動作可能な組合せも含まれる。UE105はまた、車両に永続的にアタッチされる(場合によっては車両の一部である)ことがある専用車載システム(IVS)であるか、またはその一部であってもよい。
【００２８】
UE105は、ホームネットワーク104のサービスに加入していてもよく、図1Aに示すように、訪問先ネットワーク102においてローミング中であってもよい。UE105は、訪問先ネットワーク102内のRAN120から信号を受信してもよく、または通信サービスを取得するためにRAN120と通信してもよい。UE105はまた、ローミング中ではないとき、通信サービスのためにホームネットワーク104と通信してもよい(図1Aに示されていない)。UE105はまた、衛星測位システム(SPS)の一部であり得る1つまたは複数の宇宙ビークル(SV)190から信号を受信してもよい。SPSは、典型的には、エンティティが1つまたは複数のSV190の送信機から受信された信号に少なくとも部分的に基づいて地球上または地球の上方のエンティティのロケーションを判定することを可能にするように配置された送信機のシステムを含む。そのような送信機は、典型的には、設定された数のチップの反復擬似ランダム雑音(PN)コードでマークを付けられた信号を送信し、地上ベースの制御局、UE、および/または宇宙ビークル上に位置してもよい。特定の例では、そのような送信機は、地球周回SV190上に位置してもよい。たとえば、全地球測位システム(GPS)、Galileo、GLONASS、またはBeidouなどの全地球航法衛星システム(GNSS)のコンスタレーション内のSV190は、(たとえば、GPSの場合は衛星ごとに異なるPNコードを使用して、またはGLONASSの場合は異なる周波数上で同じコードを使用して)コンスタレーション内の他のSV190によって送信されたPNコードと区別できるPNコードでマークを付けられた信号を送信してもよい。UE105は、UE105の正確な現在のロケーションを維持するためにSV190からの測定値を使用してもよく、eCallに関連してPSAP160に送られる任意のテレマティックスデータ(たとえば、MSD)に、このロケーション(たとえば、緯度と経度の座標)を含めてもよい。
【００２９】
いくつかの態様によれば、本明細書で提示する技法はSPS用の全地球システム(たとえば、GNSS)に制限されない。たとえば、本明細書で提供する技法は、たとえば、日本の準天頂衛星システム(QZSS)、インドのインド地域航法衛星システム(IRNSS)などの様々な地域システム、ならびに/あるいは、1つまたは複数の全地球および/または地域航法衛星システムに関連付けられ得る、または場合によってはこれらのシステムとともに使用できるようにされ得る、様々な補強システム(たとえば、衛星型補強システム(SBAS))に適用されてもよく、または場合によってはそれらのシステムにおいて使用できるようにされてもよい。限定ではなく例として、SBASは、たとえば、広域補強システム(WAAS)、欧州静止衛星航法オーバーレイサービス(EGNOS)、多機能衛星補強システム(MSAS)、GPS支援Geo補強航法またはGPSおよびGeo補強航法システム(GAGAN)などの、完全性情報、差分補正などを提供する補強システムを含み得る。したがって、本明細書で使用するSPSは、1つもしくは複数の全地球および/または地域航法衛星システムならびに/あるいは補強システムの任意の組合せを含んでもよく、SPS信号は、SPS信号、SPS様信号、および/または、そのような1つもしくは複数のSPSに関連付けられた他の信号を含んでもよい。UE105は、SV190からの信号を測定し、SV190の擬似距離測定値を取得してもよい。UE105はまた、RAN120内の基地局からの信号を測定し、基地局のタイミング測定値および/または信号強度測定値を取得してもよい。擬似距離測定値、タイミング測定値および/または信号強度測定値は、UE105の位置推定値を導出するために使用され得る。位置推定値は、ロケーション推定値、ロケーション、位置、位置フィックスなどと呼ばれることもある。
【００３０】
UE105は、端末に割り当てられた一意の番号である国際モバイル機器識別情報(IMEI)を有し得る。UE105は、ユーザのサービスサブスクリプションに使用され得る。サービスサブスクリプションは、GSM(登録商標)、UMTS、LTEおよび他のネットワーク用のサブスクリプションに割り当てられた一意の番号である国際モバイル加入者識別情報(IMSI)に関連付けられ得る。サービスサブスクリプションはまた、サービスサブスクリプション用の電話番号である移動局国際加入者ディレクトリ番号(MSISDN)に関連付けられ得る。IMSIは、HLR140内の加入者データベースにおけるサービスサブスクリプション用の鍵として使用され得る。MSISDNは、呼をサービスサブスクリプションに使用されるUE105に接続するために他のユーザによってダイヤルされ得る。IMSI、MSISDN、および他のサブスクリプション情報は、UE105に挿入され得る加入者識別モジュール(SIM)またはユニバーサル加入者識別モジュール(USIM)に記憶され得る。UE105はまた、SIM/USIMを有しないことがあり、その場合、UE105はIMEIのみを有し、IMSIまたはMSISDNを有しないことがある。
【００３１】
ワイヤレスネットワークは、異なるタイプの緊急呼をサポートすることが必要とされ得る。1つのタイプは、北米の「911」および欧州の「112」などのよく知られている緊急番号をダイヤルするユーザによって発信される「通常の」緊急呼を含み得る。別のタイプは、上記で説明した特性を有し得る緊急呼であるが、車両に関連付けられた端末からPSAPまたはTSPへの自動的にまたは手動でトリガされる緊急関連呼である、eCallを含み得る。これは欧州で適用されており、「eCall」という用語は、GSM(登録商標)、UMTS、またはLTEネットワークなどのワイヤレス通信ネットワークを介したIVSからPSAPへの特定の種類の緊急呼を示す。eCallのサポートは、欧州連合(EU)によって、ならびに他の世界の地域および/または国によって必要とされ得る。eCallは、呼がかけられる方法と、eCallを確立するために送られ、eCallを処理するために使用され得る追加の緊急関連テレマティックスデータとにおいて、通常の緊急呼とは異なり得る。
【００３２】
eCallは、センサーが緊急事態(たとえば、エアバッグの展開)を検出したときに自動的に、または車両内の運転者もしくは同乗者による起動によって手動でのいずれかで、車両内のIVSから引き起こされ得る。eCallの一部として、MSDと呼ばれるテレマティックスデータは、eCall確立の間またはeCall確立の直後(たとえば、数秒)のいずれかで、IVSのUE構成要素からPSAPに転送される。MSDは、たとえば、車両のロケーション、車両識別情報、車両のタイプ、車両内の考えられる有害貨物、使用されているシートベルトの数(および/または車両内の同乗者の数を示し得る他の情報)、センサー情報などを含む、PSAPにとって有用または重要である情報(車両内の運転者または同乗者が意識不明であるか、または場合によっては声で情報を提供することができない場合に、場合によっては取得可能ではないことがある)を含むことができる。MSDの転送が成功した後、PSAPは、転送の成功を確認するメタデータをIVSに返し得る。呼のしばらく後で、PSAPは、メタデータをIVSに送って、(たとえば、車両の新しいロケーションおよび/または異なる車両乗員数の指示を含む)更新されたMSDをPSAPに送るようにIVSに要求し得る。MSDおよび関連するメタデータ(たとえば、MSD確認またはMSD要求)は、使用されているワイヤレス通信システムが帯域外転送をサポートするか、または帯域外転送をサポートしないかに依存し得る、帯域内手段または帯域外手段を使用して転送され得る。
【００３３】
帯域内転送では、MSDは、UEおよびPSAPにおける帯域内データモデムを使用する、UEとPSAPとの間の音声通信経路を使用して転送され得る。UEにおいて、帯域内モデムは、MSDデータ(たとえば、MSDデータビット)をオーディオ信号として符号化し得る。PSAPにおいて、帯域内モデムは、オーディオ信号を元のMSDデータに復号し得る。帯域外転送では、MSDデータは、インターネットプロトコル(IP)を使用して、UEとPSAPとの間の音声通信の転送とは別に、UEからPSAPに転送され得るシグナリングメッセージ(たとえば、セッション開始プロトコル(SIP)シグナリングメッセージ)の一部として転送され得る。
【００３４】
NG eCallでは、MSDの転送は、典型的には、帯域外手段を使用して行われ、ワイヤレス通信システムがLTEなどのIPベースのネットワークアーキテクチャを使用するときに適用可能であり得る。帯域外転送は、典型的には、IVSからPSAPへの音声媒体経路を使用する帯域内手段によってMSDを転送することよりも速くかつ信頼性が高い場合があり、帯域内手段は、GSM(登録商標)またはUMTSなどのより古い技術を介したeCallに対してサポートされる必要があり得る。しかしながら、(たとえば、SIPを使用するまたは別個の専用データチャネルを使用する)MSDの帯域外転送は、PSAPがIP(たとえば、SIP)対応であることに依存し得る。
【００３５】
eCall over IMSとeCall over CSの両方が(たとえば、2G/3Gおよび4Gアクセスを有する1つまたは複数のネットワークから)利用可能である場合、UEがeCall over CSではなくeCall over IMSを使用することが好ましいことがある。eCall over IMSのいくつかの利点について、Table 1(表1)において以下で説明する。
【００３６】
【表１】
2020529153.tif 000003
【００３７】
eCall over IMSを可能にするために、UE側とネットワーク側の両方がeCall over IMSをサポートし得る。特に、ネットワークは、i)eCall over IMSをサポートし、ii)eCall over IMSを確立するために、UEによって送られるSIP INVITEに含まれ得るテレマティックスデータ(たとえば、MSD)を解釈することができ、iii)関連するシグナリング(たとえば、MSD肯定応答など)をサポートすることができるPSAPに、eCall over IMSをルーティングすることをサポートし得る。ネットワークは、ブロードキャストシステム情報に(たとえば、システム情報ブロック(SIB)などに)含まれるブロードキャストインジケータを介して、eCall over IMSのサポートを告知し得る。このことは、どのネットワーク(たとえば、PLMN)がeCall over IMSをサポートするかをUEが事前に知ることを可能にし、それによって、eCall over IMSをサポートするネットワークを選択する際の遅延を回避する。このことは、PSAPがeCall over IMSを常にサポートすることを保証しない場合があり、これは(たとえば、eCall over IMS対応PSAPが一時的に利用可能ではないとき)、MSDの帯域内転送をサポートするがMSDのIMS転送をサポートしないことがあるCSドメイン内のレガシーPSAPに対するeCall over IMSのサポートを示すネットワークによって、eCallがルーティングされる可能性があるからである。しかしながら、ネットワークは、ネットワークとeCallがルーティングされ得る先のPSAPの両方がeCall over IMSをサポートするときのみ、eCall over IMSのサポートを告知し得るので、このシナリオは非常にまれであり得る。
【００３８】
いくつかの例では、UE105が利用可能なネットワークのいくつか(たとえば、訪問先ネットワーク102、ホームネットワーク104など)はeCall over IMSが可能である場合があるが、他のネットワークはeCall over CSのみが可能である場合があり、また他のネットワークはeCall over IMSもeCall over CSもサポートしない場合がある(たとえば、緊急呼のみをサポートし得る)。eCall over IMSをサポートするネットワークも、eCall over CSをサポートする2G/3G CSアクセスを有するネットワークも利用可能ではない場合、次のフォールバックオプションは、UEがLTEおよびIMSを介してIMS緊急呼を行い、これがeCallであるという指示を(たとえば、SIP INVITEメッセージに)含めることであり得る。そのようなIMS緊急呼の場合、MSDは転送されないことがあるが、ネットワークは、これがeCallであるという指示により、eCall over CSをサポートするPSAPに緊急呼をルーティングし得る。このことは、eCall over CSに関しては、緊急呼が確立された後にMSDが帯域内手段によって転送されることを可能にし得るが、これは、Table 1(表1)で説明したように、eCall over IMSよりも信頼性が低く、音声経路の遅延および中断を起こしやすい場合がある。加えて、2G/3G CSアクセスではなくLTEアクセスが使用され得るので、MSDを帯域内で転送するために帯域内データモデムによって生成されるオーディオトーンは、メディアゲートウェイ(MGW)におけるボイスオーバーIP(VoIP)からCS音声へのトランスコーディングを受ける場合があり、このことは、帯域内MSD転送の信頼性をさらに悪化させ、遅延をさらに増大する場合がある。これらの理由により、LTEアクセスを介したIMS緊急呼を使用するフォールバックオプションは、最後の手段のソリューションと見なされ得る。
【００３９】
図1Bは、本開示の様々な態様による、ワイヤレス通信システム100-aの態様の一例であり得るワイヤレス通信システム100-bのLTE/LTEアドバンストネットワークアーキテクチャを示すブロック図である。ワイヤレス通信システム100-bは、eCall over IMSに適用可能であり得る。構成要素の中でも、システムは、IVS107に組み込まれ得るかつ/または場合によってはIVS107と接続され得るUE105と、LTEコアネットワーク(発展型パケットコア(EPC)とも呼ばれる)101と、E-UTRAN123と、レガシーPSAP160-aを伴うレガシー緊急サービス(ES)ネットワーク145と、全国緊急番号協会(NENA)i3対応PSAP160-bを伴うNENA i3緊急サービスIPネットワーク(ESInet)155とを含む。E-UTRAN123は、発展型ノードB(eノードBまたはeNB)110を含み得る。1つのみのeNB110が図1Bに示されているが、E-UTRAN123は多くのeNB110(たとえば、数百または数千)を含み得る。EPC101は、サービングゲートウェイ(S-GW)115と、パケットデータネットワーク(PDN)ゲートウェイ(PDN-GW)122と、モビリティ管理エンティティ(MME)172と、プロキシ呼セッション管理機能(P-CSCF)126と、緊急呼セッション管理機能(E-CSCF)132と、メディアゲートウェイ管理機能(MGCF)135と、メディアゲートウェイ(MGW)142とを含み得る。いくつかの態様では、MGCF135はMGW142に組み込まれてもよく、または場合によってはMGW142と一緒になってもよい。図1Bに示す例などの他の態様では、MGCF135およびMGW142は別々に実装および/または維持され得る。示すように、ワイヤレス通信システム100-bは、他の構成要素(そのうちのいくつかは図1Bに示されるが、本開示では説明されない)を備えてもよく、他の態様は、所望の機能に応じて、構成要素を追加、省略、結合、分離、再配置、または場合によっては変更してもよい。そのような変形形態は、当業者によって認識されよう。
【００４０】
一態様では、図1BのE-UTRAN123と組み合わされたEPC101は、図1Aの訪問先ネットワーク102に対応し得る。この場合、図1BのE-UTRAN123は、図1AのRAN120に対応し得る。E-UTRAN123と組み合わされたEPC101は、発展型パケットシステム(EPS)と呼ばれることがある。
【００４１】
図1BのIVS107は、上記で説明したように、車両(たとえば、車またはトラック)の一部であってもよく、NG eCall用のテレマティックスサービスをサポートしてもよい。IVS107は、UE105を組込み型構成要素として含んでもよく、または(たとえば、Bluetooth(登録商標)を介して)UE105に接続(たとえば、結合)されてもよい。UE105は、NG eCallおよびCS eCall用のシグナリングおよび音声転送機能をサポートしてもよく、ワイヤレス通信機能の点で他のワイヤレス端末(たとえば、セルラーフォンまたはスマートフォン)と同様であるかまたは同じであってもよい。IVS107は、激しい加速もしくは減速、エアバッグの展開、または火災などの、NG eCallが必要とされ得る、関連する車両についての異なるタイプの緊急事態を検出し得るセンサーなどの(図1Bに示されていない)他の構成要素を含んでもよい。eNB110は、UE105用のサービングeNBであってもよく、UE105の代わりにEPC101にワイヤレス通信アクセスを提供してもよい。MME172は、UE105用のサービングMMEであってもよく、UE105のモビリティならびにシグナリングアクセスおよび音声ベアラ経路の提供をサポートしてもよい。サービングゲートウェイ115およびPDNゲートウェイ122は、UE105用のIPベースのシグナリングおよびIPトランスポートサポートを提供してもよく、たとえば、PDNゲートウェイ122は、UE105用のIPアドレスを割り当て、MGW142およびP-CSCF126などのLTEネットワーク101内の他のエンティティへのIPアクセスを提供する。
【００４２】
EPC101は、P-CSCF126と、E-CSCF132と、MGCF135と、LRF192とを含み得るIMS182を含んでもよく、またはIMS182に接続されてもよい。一態様では、図1Bに示すように、IMS182はEPC101の一部であってもよい。しかしながら、別の態様では、IMS182はEPC101の一部ではないことがある(図1Bに示されていない)。IMS182は、UE105からi3 PSAP160-bまたはレガシーPSAP160-aなどのPSAPへのNG eCallをサポートしてもよい。たとえば、UE105からi3 PSAP160-bへのNG eCallの場合、UE105からのシグナリング経路(図1Bに示されていない)は、eNB110、サービングゲートウェイ115、PDNゲートウェイ122、P-CSCF126、E-CSCF132、相互接続境界制御機能(IBCF:Interconnection Border Control Function)、i3 ESInet155、およびi3 PSAP160-bを通過してもよい。UE105からレガシーPSAP160-aへのNG eCallの場合、UE105からのシグナリング経路(太線の破線によって図1Bに示す)は、eNB110、サービングゲートウェイ115、PDNゲートウェイ122、P-CSCF126、E-CSCF132、ブレークアウトゲートウェイ制御機能(BGCF:Breakout Gateway Control Function)、MGCF135、レガシーESネットワーク145、およびレガシーPSAP160-aを通過してもよい。IMS182内の要素は、UE105からi3 PSAP160-bまたはレガシーPSAP160-aのいずれかへのNG eCallを可能にするために、呼ハンドリングおよび呼ルーティングのサポートを提供してもよい。たとえば、P-CSCF126は、UE105によって引き起こされたときに(たとえば、UE105によって送られたSIP INVITEメッセージを受信、復号、および解釈することによって)NG eCallを検出してもよい。E-CSCF132は、(たとえば、P-CSCF126を介して受信されたUE105からのSIP INVITEを、MGCF135を介してレガシーPSAP160-aまたはIBCFを介してi3 PSAP160-bのいずれかに向けて送ることによって)UE105からのNG eCallのルーティングをサポートしてもよい。ロケーション検索機能(LRF:Location Retrieval Function)192は、E-CSCF132によって照会されたときに、UE105からのNG eCallのルーティングを支援してもよい。たとえば、LRF192は、(たとえば、UE105によって提供されたSIP INVITE内の情報から)UE105のロケーションを判定してもよく、そのロケーションに対してCS eCallまたはNG eCallをサポートするPSAP(たとえば、レガシーPSAP160-aまたはi3 PSAP160-b)を判定してもよく、このPSAPの識別情報またはアドレスをE-CSCF132に返してもよい。MGCF135は、レガシーPSAP160-aへのNG eCallの場合、ISDN(総合サービスデジタル網)ユーザ部(ISUP)シグナリングなどのレガシーESネットワーク145によって使用されるシグナリングへのまたはそのシグナリングからの、UE105から受信されるまたはUE105に送られるSIPベースのシグナリングの変換を実行してもよい。たとえば、MGCF135は、レガシーPSAP160-aにルーティングされるNG eCallの場合に、UE105から受信されるNG eCallをCS eCallに部分的に変換してもよい。
【００４３】
i3 ESInet155は、i3 PSAP160-bの代わりに、UE105からのNG eCallを含むIPベースの緊急呼をサポートしてもよく、たとえば、NG eCallをUE105からi3 PSAP160-bにルーティングしてもよい。レガシーESネットワーク145は同様に、レガシーPSAP160-aの代わりに、UE105からMGCF135を介して受信されるCS eCallを含むCSベースの緊急呼をサポートしてもよく、たとえば、UE105からMGCF135を介して受信されるCS eCallをレガシーPSAP160-aにルーティングしてもよい。MGW142は、UE105からレガシーPSAP160-aへのNG eCallの場合、UE105から受信されるまたはUE105に送られるVoIPと、レガシーPSAP160-aに送られるまたはレガシーPSAP160-aから受信されるCSベースの音声データとの間で変換を行ってもよい。
【００４４】
UE105からレガシーPSAP160-aへのNG eCallの場合、太線の破線で標示された、UE105からレガシーPSAP160-aへのシグナリング経路は、UE105をレガシーPSAP160-aと通信可能に接続し、シグナリングメッセージ(たとえば、SIPメッセージ、ISUPメッセージ)および/または他の信号(たとえば、多周波数(MF)トーン)を転送するために使用され得る。この経路は、以下の要素のチェーン、すなわち、UE105、eNB110、サービングゲートウェイ115、PDNゲートウェイ122、P-CSCF126、E-CSCF132、MGCF135、レガシーESネットワーク145、およびレガシーPSAP160-aを含む。太線の実線で標示された、UE105からレガシーPSAP160-aへのNG eCall用の音声経路(音声媒体経路、媒体経路、データ経路、音声チャネル、オーディオチャネル、オーディオ経路とも呼ばれる)は、UEをレガシーPSAP160-aと通信可能に接続する。この経路は、以下の構成要素のチェーン、すなわち、UE105、eNB110、サービングゲートウェイ115、PDNゲートウェイ122、MGW142、レガシーESネットワーク145、およびレガシーPSAP160-aを含む。態様は変化する場合があるが、UE105からMGCF135へのシグナリング(たとえば、SIPメッセージ)の通信は、典型的にはパケット交換(たとえば、IPを介した伝送制御プロトコル(TCP)またはユーザデータグラムプロトコル(UDP)を使用してトランスポートされるSIP)である一方、MGCF135からレガシーPSAP160-aへのシグナリングの通信は、シグナリングシステム番号7(SS7)(たとえば、ISUP)に基づき得るかつ/または帯域内MFシグナリングを使用し得る。態様は変化する場合があるが、UE105からMGW142への音声の通信は、典型的にはパケット交換(たとえば、VoLTE、VoIP)である一方、MGW142からレガシーPSAP160-aへの音声の通信は、回線交換(たとえば、パルス符号変調(PCM)、A-law、PCM μ-law)である。
【００４５】
図1Cは、本開示の様々な態様による、ワイヤレス通信システム100-aおよび/または100-bの態様の一例であり得るワイヤレス通信システム100-cの複合LTE/LTEアドバンストおよびGSM(登録商標)/UMTSネットワークアーキテクチャを示すブロック図である。通信システム100-cは、GERAN121-1、UTRAN121-2、E-UTRAN123、GSM(登録商標)/UMTSコアネットワーク103、およびEPC101のうちの1つまたは複数を備え得る訪問先ネットワーク102を含み得る。図1Cに示したE-UTRAN123およびEPC101の様々な構成要素については、図1Bを参照しながら上記で説明した。
【００４６】
UTRAN121-2は、ワイヤードまたはワイヤレスバックホールインターフェースを介して無線ネットワークコントローラ(RNC)128に結合された1つまたは複数のノードB124を含む。ノードB124は、UE105からのUMTSおよび/またはWCDMA(登録商標)ワイヤレスアクセスをサポートし得る。単一のRNC128によって制御されるノードB124のグループは、まとめてサブネットと呼ばれる。当業者によって諒解されるように、UTRAN121-2は複数のRNCおよびサブネットを含むことができ、便宜上、単一のRNCが図1Cに示されている。RNC128は、サービングGPRSサポートノード(SGSN)136および/またはMSC130とノードB124によってサービスされるUE105との間のベアラチャネル(たとえば、データチャネル)のシグナリング、確立およびティアダウンを担う。リンクレイヤ暗号化が可能である場合、RNC128はまた、エアインターフェースを介した送信のためにコンテンツをノードB124に転送する前に、コンテンツを暗号化する。ノードB124およびRNC128の機能は当技術分野でよく知られており、簡単にするために、これ以上は説明しない。
【００４７】
GERAN121-1は、ワイヤードまたはワイヤレスバックホールインターフェースを介して基地局コントローラ(BSC)118に結合された1つまたは複数の基地トランシーバ局(BTS)116を含む。BTS116は、UE105からのGSM(登録商標)および/またはGPRSワイヤレスアクセスをサポートし得る。BSC118は、SGSN136および/またはMSC130とBTS116によってサービスされるUE105との間のベアラチャネル(たとえば、データチャネル)のシグナリング、確立およびティアダウンを担う。BTS116およびBSC118の機能は当技術分野でよく知られており、簡単にするために、これ以上は説明しない。本明細書でのGERAN/UTRAN121への言及は、GERAN121-1およびUTRAN121-2の一方または両方を備えるRAN120を指す。さらに、GERAN/UTRAN121、GERAN121-1およびUTRAN121-2の各々は、図1AのRAN120に対応し得る。
【００４８】
図1Cでは、GSM(登録商標)/UMTSコアネットワーク103は、上述のSGSN136(および場合によってはいくつかの他のSGSNも)およびゲートウェイGPRSサポートノード(GGSN)138を含む。一般に、GPRSは、データ、音声、他の媒体、および/またはシグナリングコンテンツを含むIPパケットなどのパケットをルーティングおよびトランスポートするためのGSM(登録商標)およびUMTSアクセスに使用されるプロトコルのセットである。GPRSコアネットワーク(たとえば、GGSN138および1つまたは複数のSGSN136)は、GPRSシステムの集中部であり、WCDMA(登録商標)ベースの3Gアクセスネットワークに対するサポートも提供する。GPRSコアネットワークは、GSM(登録商標)ネットワークおよびUMTSネットワークにおけるモビリティ管理、セッション管理、およびパケットサービスのトランスポートを提供するGSM(登録商標)/UMTSコアネットワーク103の統合部である。
【００４９】
GPRSトンネリングプロトコル(GTP)は、GPRSコアネットワークの主要トランスポートプロトコルである。3つの形態のGTP、すなわち、(i)GTP-U、(ii)GTP-C、および(iii)GTP'(GTP Prime)がGPRSコアネットワークによって使用される。GTP-Uは、パケットデータプロトコル(PDP)コンテキストごとの、分離されたトンネルにおけるユーザデータの転送に使用される。GTP-Cは、制御シグナリング(たとえば、PDPコンテキストのセットアップおよび削除、GPRSサポートノード(GSN)到達可能性の検証、加入者があるSGSN136から別のSGSN136に移動したときなどの更新または修正など)に使用される。GTP'は、GSNから課金機能への課金データの転送に使用される。
【００５０】
図1Cを参照すると、GGSN138は、GPRSコアネットワークとインターネット/PSTN170との間のインターフェースとして働く。GGSN138は、SGSN136から来るGPRSパケットから、関連するPDPフォーマット(たとえば、IPまたはポイントツーポイント(PPP))を有するパケットデータを抽出し、対応するパケットデータネットワーク(たとえば、インターネット)上でこれらのパケットを送出する。他方の方向では、着信データパケットは、GGSN138によってSGSN136に方向付けられ、SGSN136は、ノードB124またはBTS116によってサービスされるターゲットUE105の無線アクセスベアラ(RAB)を管理および制御する。それによって、GGSN138は、ターゲットUE105の現在のSGSN136アドレスおよびその関連するプロファイルを(たとえば、PDPコンテキスト内の)ロケーションレジスタに記憶する。GGSN138は、IPアドレス割り当てを担い、接続されたUE105のデフォルトルータである。GGSN138は、認証および課金機能も実行する。
【００５１】
SGSN136は、一例では、GSM(登録商標)/UMTSコアネットワーク103内の多くのSGSN136のうちの1つを表す。各SGSN136は、関連する地理的サービスエリア内のUE105との間のデータパケットの配信を担う。SGSN136のタスクは、パケットのルーティングおよび転送、モビリティ管理(たとえば、アタッチ/デタッチおよびロケーション管理)、論理リンク管理、ならびに認証および課金機能を含む。SGSN136のロケーションレジスタは、たとえば、ユーザまたはUEごとの1つまたは複数のPDPコンテキスト内に、SGSN136に登録されたすべてのGPRSユーザのロケーション情報(たとえば、現在のセル、現在のVLR)およびユーザプロファイル(たとえば、IMSI、パケットデータネットワークにおいて使用されるPDPアドレス)を記憶する。このようにして、SGSN136は、(i)GGSN138からのダウンリンクGTPパケットをトンネリング解除することと、(ii)GGSN138に向かうアップリンクトンネルIPパケットと、(iii)UE105がSGSN136サービスエリア間で移動するときにモビリティ管理を実行することと、(iv)モバイル加入者に課金することとを担う。当業者によって諒解されるように、(i)〜(iv)は別として、GSM(登録商標)ネットワーク(たとえば、GERAN121-1)用に構成されたSGSN136は、WCDMA(登録商標)ネットワーク(たとえば、UTRAN121-2)用に構成されたSGSN136と比較して、わずかに異なる機能を有する。
【００５２】
ノードB124およびRNC128は、無線アクセスネットワークアプリケーション部(RANAP:Radio Access Network Application Part)プロトコルを介してSGSN136と通信する。RANAPは、フレームリレーまたはIPなどの伝送プロトコルを用いてIuインターフェース(Iu-ps)を介して動作する。SGSN136は、IPベースのインターフェースであるGnインターフェースを介してGGSN138と通信し、上記で定義されたGTPプロトコル(たとえば、GTP-U、GTP-C、GTP'など)を使用する。図1Cの例では、SGSN136とGGSN138との間のGnインターフェースは、GTP-CとGTP-Uの両方を搬送する。図1Cに示されていないが、Gnインターフェースはまた、ドメイン名システム(DNS)によって使用され得る。GGSN138は、IPプロトコルを用いるGiインターフェースを介して、直接またはワイヤレスアプリケーションプロトコル(WAP)ゲートウェイを通じてのいずれかで、インターネット/PSTN170に接続され得る。
【００５３】
GSM(登録商標)/UMTSコアネットワーク103は、MSC130に結合されたCS-MGW134をさらに含む。CS-MGW134は、eCall over CSなどの、UE105からのCS呼の音声符号化を実行する。図1Aを参照しながら上述したように、MSC130はCS呼のスイッチング機能を実行することがあり、SMSメッセージをルーティングすることもある。CS-MGW134、MSC130、およびSGSN136は各々、GERAN121-1用のBSC118および/またはUTRAN121-2用のRNC128とインターフェースし得る。
【００５４】
依然として図1Cを参照すると、GSM(登録商標)/UMTSコアネットワーク103内のMSC130およびCS-MGW134は、直接(図1Cに図示せず)またはインターネット/PSTN170を介してのいずれかでPSAP160(たとえば、レガシーPSAP160-a)とインターフェースし得る。加えて、UE105がGERAN/UTRAN121およびGSM(登録商標)/UMTSコアネットワーク103からE-UTRAN123およびEPC101にならびにその逆にハンドオーバするかまたはシステム間変更(UE105が現在使用している/キャンプオンしているRATから異なるRATへの変更)を実行することを可能にするために、GSM(登録商標)/UMTSコアネットワーク103のSGSN136は、EPC101のMME172、サービングゲートウェイ115、およびホーム加入者サーバ(HSS)144とインターフェースする。同様に、GSM(登録商標)/UMTSコアネットワーク103のGGSN138は、EPC101のIMS182とインターフェースする。加えて、GSM(登録商標)/UMTSコアネットワーク103のMSC130は、EPC101のHSS144およびMME172とインターフェースする。当技術分野で知られているように、GSM(登録商標)/UMTSコアネットワーク103およびEPC101のこれらの構成要素の相互通信は、デュアルRAT対応UE105が、ある時にはGERAN/UTRAN121およびGSM(登録商標)/UMTSコアネットワーク103を使用して、他の時にはE-UTRAN123およびEPC101を使用して動作することと、UE105のロケーションが変化すると、GERAN/UTRAN121およびGSM(登録商標)/UMTSコアネットワーク103からE-UTRAN123およびLTEネットワーク101にならびにその逆にハンドオーバするかまたはシステム間変更を実行することとを可能にする。
【００５５】
ワイヤレス通信システム100-cは、ホームネットワーク104におよび/またはインターネット/PSTN170に接続され得るテスト/再構成サーバ164をさらに含む。テスト/再構成サーバ164は、UE105におけるCS eCallおよび/またはNG eCall能力をテストすることを目的とする、UE105からのテスト呼またはセッションをサポートし得る。テスト/再構成サーバ164はまた、またはその代わりに、eCallのサポートに関連してUE105(たとえば、UE105のUSIM)を再構成することを目的とする、UE105からの再構成呼またはセッションをサポートし得る。たとえば、再構成は、以前にeCall専用モード用に構成されたUE105が、UE105のユーザのための通常の音声およびデータサービスをサポートすることを可能にすることができる。本明細書で説明するように、eCall専用モードで動作するUE105は、テスト/再構成サーバ164に対して周期的なテストまたは再構成呼を行い得る。
【００５６】
図2は、図1Aのワイヤレス通信システム100-aのための、UE105によってeCall over CSを確立するための例示的なメッセージフロー200を示す。メッセージフロー200は、図1Cのインターネット/PSTN170が選択的ルータ150を含むときに、UEがGERAN121-1へのGSM(登録商標)アクセスまたはUTRAN121-2へのUMTSアクセスを有する場合の、図1Cの通信システム100-cにも適用可能である。簡単にするために、いくつかのネットワークエンティティ(たとえば、RAN120)およびいくつかのあまり関連のないシグナリングメッセージは、図2に示されていない。段階202において、UE105は最初に、GSM(登録商標)またはUMTSアクセスのためのサービング基地局(たとえば、ノードB124、BTS116など)への無線アクセスを獲得してもよく、サービスを要求するために接続管理(CM:Connection Management)サービス要求メッセージをMSC/VLR130に送ってもよい。段階204において、MSC/VLR130は、このメッセージを受信してもよく、CMサービス受付(CM Service Accept)メッセージで応答してもよい。段階206において、UE105は、eCall over CSを発信するために緊急SETUP(Emergency SETUP)メッセージを送ってもよい。段階208において、MSC/VLR130は、段階206において送られたメッセージを受信してもよく、UE105に対する呼を発信するためにISUP初期アドレス(ISUP Initial Address)メッセージを選択的ルータ150に送ってもよい。段階210において、選択的ルータ150は、UE105に対する呼を確立するために呼セットアップ(Call Setup)メッセージをPSAP160に送ってもよい。段階212において、PSAP160は、接続(Connect)メッセージを選択的ルータ150に返してもよく、次いで、選択的ルータ150は、段階214において、ISUP応答(ISUP Answer)メッセージをMSC/VLR130に返してもよい。段階216において、MSC/VLR130は次いで、接続メッセージをUE105に返してもよい。段階212〜216の一部として、UE105、MSC130、選択的ルータ150およびPSAP160によって、UE105とPSAP160との間に音声経路が確立されてもよい。段階218において、UE105は、前に本明細書で説明したように、MSDなどのeCall用の追加のデータを、帯域内データモデムを使用して音声経路を介してPSAP160に転送してもよい。次いで、UE105のユーザは、eCall用の音声経路を使用してPSAP160の事業者と通信してもよい。
【００５７】
上述のように、eCallは、UE105によって自動的に(たとえば、車両衝突に起因して)またはユーザ(たとえば、車両乗員)によって手動で開始され得る。一設計では、UE105は、段階206において送られた緊急SETUPメッセージにおいてeCallインジケータを提供し得る。eCallインジケータは、それが手動で開始されたeCall(MIeC:Manually Initiated eCall)である(すなわち、ユーザによって発信された)こと、またはそれが自動的に開始されたeCall(AIeC:Automatically Initiated eCall)である(すなわち、UE105によって発信された)ことを伝達し得る。
【００５８】
eCallインジケータは、eCallを通常の緊急呼と区別するために、eCallをフィルタリングするかもしくはeCallを適切なPSAP(たとえば、eCallを受信するために備えられたPSAP)にルーティングするために、および/または他の目的で、ワイヤレスネットワーク(たとえば、MSC130)によって使用され得る。eCallインジケータは、緊急呼セットアップ中に、様々な方法でUE105によって伝達され得る。eCallインジケータは、CMサービス要求メッセージ、緊急SETUPメッセージ、SETUPメッセージ、またはUE105によって送られる何らかの他のメッセージにおいて送られ得る。
【００５９】
図3は、本開示の態様による、図1Bを参照しながら説明したようなワイヤレス通信システム100-bの様々な構成要素がどのようにeCall over IMSを確立することができるかを示す例示的なメッセージフロー300を示す。ここで、すべての要素ではないが、EPC101のいくつかの主要な要素が示されている。メッセージフロー300は、UE105がE-UTRAN123へのLTEアクセスを有する場合の、図1Cの通信システム100-cにも適用可能である。図3に示すEPC101のいくつかの要素または要素のいくつかのグループに起因するまたはそれらについて暗示されるいくつかのアクションは、図3に示されていないEPC101の他の要素によって部分的にサポートされ得る。たとえば、MME172によって実行されるまたはMME172を伴うアクションへの言及は、eNB110、サービングゲートウェイ115、PDNゲートウェイ122、および/または図1Bに示すEPC101の他の構成要素によって支援または提供される場合があり、図3のIMS182は、図1BのP-CSCF126および/またはE-CSCF132を指す場合があるか、または図1BのIMS182のすべての要素に対応し得る。前述のように、本明細書で開示する技法は、必ずしも図1Bに示したアーキテクチャに限定されるとは限らない。
【００６０】
段階301において、IVS107(図3に図示せず)は、手動のユーザ入力を介して(たとえば、車両の運転者または同乗者が緊急ヘルプボタンを押す)またはセンサーを使用して自動的に(たとえば、突然の加速/減速、エアバッグ展開、火災、水などを検知する)のいずれかで緊急事態を検出し、UE105に通知する。
【００６１】
段階302において、UE105は、CSドメインまたはPSドメインのいずれかを選択するためにドメイン選択を実行し、このドメインをサポートするアクセス可能なワイヤレスネットワークを見つける。CSドメインが選択された場合(図3に図示せず)、図2について説明したように、CS eCallが引き起こされる。PSドメインが選択された場合、図3に示すように、E-UTRAN123およびEPC101にアクセスされ、図3の動作の残りが実行される。場合によっては、段階302がスキップされることがある。たとえば、eCallベースのネットワーク選択手順がeCallの確立の前に行われる場合、および現在のPLMN/アクセス技術の組合せがeCall(たとえば、eCall over IMS、eCall over CSなど)をサポートする場合。
【００６２】
段階303において、UE105は、まだアタッチされていない場合(たとえば、UE105がeCall専用モード用に構成され、eCall、テスト呼、またはホームネットワーク事業者への呼を引き起こすためにのみワイヤレスネットワークにアタッチする場合)、EPC101およびE-UTRAN123にアタッチする。段階303におけるアタッチメントは、MME172によって、およびeNB110およびPDNゲートウェイ122などの、図3に図示しない他の要素によってサポートされる。段階303におけるアタッチメントの間、UE105は、緊急ベアラを取得し、緊急サービスに適したP-CSCF126を発見する。UE105は、この段階を実行するために必要とされる場合、任意の前の進行中のセッションのためのリソース(たとえば、ベアラリソース)を解放し得る。
【００６３】
段階304において、UE105は、IMS182へのIMS緊急登録を実行する。段階304におけるIMS緊急登録は、UE105がローミング中である場合(たとえば、EPC101がUE105のホームネットワーク104の一部ではない場合)、UE105のホームネットワーク104内のIMS182(図3に図示せず)とも実行され得る。
【００６４】
段階305において、UE105は、SIP INVITEメッセージをIMS182に(たとえば、P-CSCF126に)送る。段階305において送られたINVITEは、緊急呼およびeCallが手動で呼び出されたかまたは自動的に呼び出されたかを示し得るeCall指示と、この例ではMSDを備えるテレマティックスデータとを含んでもよい。代替態様では、MSDは、段階305において送られたSIP INVITEに含まれないことがあり、UE105は、その代わりに、段階308の間の音声経路の確立と並行してまたはその後に確立され得る別個のデータチャネルを使用することによってなど、代替技法を使用して、(たとえば、NG eCallが確立された後に)テレマティックスデータを送ろうと試みることがある。
【００６５】
段階306において、IMS182(たとえば、E-CSCF132)は、UE105のための呼ルーティングおよび/またはロケーション情報を取得するためにLRF192に照会してもよく、LRF192は、呼ルーティングおよび/またはロケーション情報を提供するために(たとえば、MME172および/またはUE105を関与させる対話を介して)UEのロケーションを取得してもよい。
【００６６】
段階307a〜eにおいて、IMS182(たとえば、E-CSCF132)は、段階306において取得された(たとえば、LRF192によって提供された)任意のルーティング情報を使用するか、または段階305において提供された情報に基づいて緊急センタもしくはPSAP160を選択し、段階305または段階306において取得されたeCall指示、MSDおよび任意のロケーション情報を含むNG eCall要求(たとえば、SIP INVITEメッセージ)を緊急センタもしくはPSAP160に、または緊急センタもしくはPSAP160に向けて送る。CSドメインを介して緊急センタまたはPSAP160にアクセスされた(たとえば、PSAP160がレガシーPSAP160-aである)場合、段階307aおよび307bが実行される。段階307aの場合、SIP INVITEがMGCF135に送られる。段階307bの場合、MGCF135がISUP初期アドレスメッセージ(IAM:Initial Address Message)をレガシーPSAP160-aに向けて送る(たとえば、IAMをレガシーESネットワーク145に送る)。IAMは、(たとえば、発呼者のカテゴリーパラメータにおいて)緊急指示と、eCall指示とを搬送し得る。いくつかの実装形態では、eCallの指示、またはeCallをサポートするPSAP160への呼ルーティングの指示は、被呼者番号パラメータの一部として(たとえば、被呼者番号パラメータにおいて特定の数字を含むことによって)搬送されることがあり、IAM内の別個の指示として搬送されないことがある。MSDは、段階307bの一部としてMGCF135によって破棄されることがある。
【００６７】
PSドメインを介して緊急センタまたはPSAP160にアクセスされた(たとえば、PSAPがi3 PSAP160-bである)場合、段階307c、307d、および307eが実行される。段階307cの場合、IMS182(たとえば、E-CSCF132)が、eCall指示およびMSDを搬送するSIP INVITEをi3 PSAP160-bにまたはi3 PSAP160-bに向けて(たとえば、IBCFおよびi3 ESInet155を介して)送る。段階307dの場合、i3 PSAP160-bが、SIP STATUSメッセージ(たとえば、SIP 200 OKメッセージ)をIMS182に(たとえば、IBCFおよびi3 ESInet155を介してE-CSCF132に)返す。SIP STATUSメッセージは、MSD受信の確認と、場合によってはNG eCallを確立するという同意とを搬送する。段階307eの場合、IMS182(たとえば、E-CSCF132およびP-CSCF126)が、MSDの受信およびeCallの受入れを確認するSTATUSメッセージをUE105に送る。eCallが段階307aおよび段階307bにおいてCSドメインを介してレガシーPSAP160-aに送られるとき、ISUP応答(ANM)メッセージなどの同様のSTATUSメッセージが、段階308の一部として段階307aおよび307bの後にレガシーPSAP160-aによって送られてもよい。しかしながら、このSTATUSメッセージ(たとえば、ANMメッセージ)は、MSDが段階307aおよび307bにおいてレガシーPSAP160-aに送られないので、MSDの転送の確認を示さないことになる。
【００６８】
段階308において、緊急呼確立が完了する。このことは、UE105とPSAP(レガシーPSAP160-aまたはi3 PSAP160-bのいずれか)との間の音声経路(音声チャネルまたはオーディオチャネルとも呼ばれる)を確立することを含む。i3 PSAP160-bへのNG eCallの場合、音声経路はVoIPを用いてもよく、異なる音声符号化間のいかなる変換も必要としないことがある。レガシーPSAP160-aへのNG eCallの場合、音声経路は、MGCF135に関連付けられたMGW142を通過することがあり、図1Bについて説明したような他のエンティティを通過することもあり、MGW142におけるVoIP符号化とCS音声符号化との間の変換などの、1つまたは複数の変換を受けることがある。
【００６９】
UE105が段階307eにおいてSTATUSメッセージを受信しない(たとえば、NG eCallが段階307aおよび307bにおいてCSドメインを介してレガシーPSAP160-aに送られる)場合、または段階307eにおいて受信されたSTATUSメッセージがPSAPによる(たとえば、レガシーPSAP160-aによる)MSD受信成功の確認を含まない場合、段階309において、UE105は、前述のように、段階308において確立された音声経路を介して帯域内手段によってMSDを緊急センタまたはPSAP160に転送しようと試みる。たとえば、レガシーPSAP160-aへのeCallの場合、UE105は、レガシーPSAP160-aからの要求を待つことなしに、音声経路を介してMSDをレガシーPSAP160-aに送ってもよく、または音声経路を介してMSDをレガシーPSAP160-aに送る前に、(音声経路を介してUE105に送られる)レガシーPSAP160-aからの帯域内要求を待ってもよい。
【００７０】
上述のように、リリース8においてeCallが規定されたとき、eCallの唯一の利用可能なバージョンはeCall over CSであった。したがって、eCall専用モードのUEはCS呼(CS eCallまたはCSテスト/再構成呼のいずれか)しか実行しないであろうと想定されたので、eCall専用モードのUEのために、CS固有の手順のみが定義された。リリース14においてeCall over IMSが規定されたとき、VoLTEカバレージが依然としてかなり長い間どこでも利用可能であるとは限らず、したがって、UEがいくつかのエリアにおいてCS接続性にフォールバックしなければならない場合があるという事実に対処するために、3GPPは、eCall over IMSをサポートするUEはeCall over CSもサポートしなければならないことを義務付けた。
【００７１】
そのようなUEはRAT間モビリティ(たとえば、E-UTRAN(たとえば、E-UTRAN123)とUTRAN(たとえば、UTRAN121-2)またはGERAN(たとえば、GERAN121-1)との間の、アイドルモードまたは接続モードのいずれかにおけるハンドオーバ(HO))も実行し得ることが認められた。しかしながら、RAT間モビリティの後のモビリティ管理手順については考慮されなかった。このことは、Table 2(表2)で説明する問題をもたらす可能性がある。
【００７２】
【表２Ａ】
2020529153.tif 000004
【００７３】
【表２Ｂ】
2020529153.tif 000005
【００７４】
【表２Ｃ】
2020529153.tif 000006
【００７５】
【表２Ｄ】
2020529153.tif 000007
【００７６】
GERANアクセスはA/GbモードまたはGERANモードとも呼ばれ、UMTSアクセスはIuモードまたはUTRANモードとも呼ばれ、E-UTRANアクセスはLTEアクセス、E-UTRANモード、S1モード、またはS1アクセスとも呼ばれることに留意されたい。
【００７７】
eCall over IMSおよびCS eCallが可能なeCall専用モードのUEのための完全なRAT間モビリティを可能にするために、以下でL1からL7と標示された、(その全体が参照により本明細書に組み込まれる)3GPP TS 24.008に対する以下の仕様変更が追加されてもよい。
【００７８】
L1.eCall over IMSが可能なeCall専用モードのUEがLTE/EPCからUTRAN/GERANへのシステム間変更を実行した後に、タイマーT3242/T3243(UTRAN/GERANに接続されているときにeCall非アクティビティ手順をトリガするために使用されるタイマー)がそのUEにおいて満了したときに、GPRSおよび非GPRSサービスに対する複合GPRSデタッチをトリガするための、新しいGPRSモビリティ管理(GMM)eCall非アクティビティ手順を定義する。「複合」GPRSデタッチ手順は、GSM(登録商標)/UMTSコアネットワーク(たとえば、GSM(登録商標)/UMTSコアネットワーク103)とのCSサービスとPSサービスの両方について、UE(たとえば、UE105)をデタッチする。
【００７９】
L2.タイマーT3444/T3445(LTEネットワークに接続されているときにeCall非アクティビティ手順をトリガするために使用されるタイマー)が動作中である状態でLTE/EPCからUTRAN/GERANモードへのシステム間変更を実行するeCall専用モードのUEは、タイマーT3444/T3445を停止するものとし、タイマーT3444/T3445に残された時間を用いてタイマーT3242/T3243を開始するものとすると規定する。
【００８０】
L3.eCall専用モードのUEは、E-UTRANからUTRANへのテスト/再構成呼のハンドオーバに起因して確立されたPSシグナリング接続の解放時にタイマーT3243を開始するものとすると規定する。
【００８１】
L4.eCall専用モードのUEは、READYタイマーがE-UTRANからGERANへのテスト/再構成呼のハンドオーバの後に開始されたとき、READYタイマーの満了時にタイマーT3243を開始するものとすると規定する。
【００８２】
L5.eCall over IMSが可能なUEに対して「eCall専用移動局は通常または複合GPRSアタッチ手順を実行しないものとする」という制限を解除する。「複合」アタッチ手順は、UEがGSM(登録商標)/UMTSコアネットワーク(たとえば、GSM(登録商標)/UMTSコアネットワーク103)にCSサービスとPSサービスの両方を登録することを意味する。
【００８３】
L6.eCall over IMSが可能なUEに対して「eCall専用移動局はいかなる種類のGPRSアタッチ手順も実行しないものとする」という制限を解除する。
【００８４】
L7.eCall over IMSが可能なUEに対して「eCall専用移動局は通常または複合ルーティングエリア更新手順(RAU)を実行しないものとする」という制限を解除する。「複合RAU」は、GSM(登録商標)/UMTSコアネットワーク(たとえば、GSM(登録商標)/UMTSコアネットワーク103)上のPSサービスとCSサービスの両方に対する登録更新である。
【００８５】
上記のL1〜L7に対する変更に加えて、仕様3GPP TS 24.301は、タイマーT3242/T3243が動作中である状態でUTRAN/GERANからLTE/EPCモードへのシステム間変更を実行するeCall専用モードのUEは、タイマーT3242/T3243を停止するものとし、タイマーT3242/T3243に残された時間を用いてタイマーT3444/T3445を開始するものとすると規定することによって、改定されることがある。
【００８６】
Table 3(表3)は、Table 2(表2)に示したRAT間シナリオのための提案される3GPPソリューションを示す。
【００８７】
【表３Ａ】
2020529153.tif 000008
【００８８】
【表３Ｂ】
2020529153.tif 000009
【００８９】
図4は、本開示の少なくとも1つの態様による、UE105がアイドルモードである間の、LTEセルからGSM(登録商標)/UMTSセルへのUE105のシステム間変更を示す例示的なシグナリングフロー400を示す。例示的なフロー400の場合、UE105はeCall専用モード用に構成されると想定される。図4は、図1Cの通信システム100-cに適用可能であり、図1Cに関して前に説明したいくつかの要素に言及する。図4の例では、UE105は最初に、(たとえば、eノードB110を備える)E-UTRAN123にアクセスすることが可能である(たとえば、キャンプオンし得る)。
【００９０】
段階402において、UE105は、EPC101とのシグナリング対話を介してeCall over IMSまたはテスト/再構成呼を確立する。段階404において、EPC101は、適切なPSAP160またはテスト/再構成サーバ164(図4に図示せず)とのシグナリング対話を介してeCallまたはテスト/再構成呼を確立する。UE105とPSAP160またはテスト/再構成サーバ164との間のシグナリング対話は、段階402および/または404の一部として行われる可能性もある。段階402および404などにおいて実行される、eCall over IMSの確立については、図3に関して詳細に説明した。段階402および404におけるテスト/再構成呼の確立は、(それらの全体が参照により本明細書に組み込まれる)3GPP TS 23.401および23.228に記載されているものなどの、LTEアクセス用のよく知られている呼確立手順を使用してもよい。段階406および408において、eCallまたはテスト/再構成呼が解放される。
【００９１】
eCallまたはテスト/再構成呼の解放時に、段階410において、UE105は、第1の非アクティビティタイマー(たとえば、3GPP TS 24.301で定義されるようなタイマーT3444/T3445)を開始する。段階412において、UE105は、E-UTRAN123用のLTEセルのカバレージからGERAN121-1用のGSM(登録商標)セルまたはUTRAN121-2用のUMTSセルのカバレージに移動し、結果として、UE105は、E-UTRAN123およびEPC101からGERAN/UTRAN121およびGSM(登録商標)/UMTSコアネットワーク103へのシステム間変更を実行する。段階412におけるシステム間変更はeCallまたはテスト/再構成呼の解放の後に行われるので、また、UE105はeCall専用モードで動作するので、システム間変更はUE105がアイドル状態である間に行われる。段階412におけるシステム間変更は、段階414において、3GPP TS 23.401に記載されているようなRAUまたは複合RAU手順を実行するようにUE105をトリガしてもよい。段階416において、GSM(登録商標)/UMTSコアネットワーク103は、EPC101とのRAUまたは複合RAU手順を継続し、完了する。
【００９２】
段階418において、段階414および416におけるRAUまたは複合RAU手順に応答して、UE105は、第1の非アクティビティタイマー(たとえば、タイマーT3444/T3445)を停止し、第2の非アクティビティタイマー(たとえば、3GPP TS 24.008で定義されるようなタイマーT3242/T3243)を開始する。しかしながら、一態様では、UE105は、第1の非アクティビティタイマーを停止し、段階412におけるシステム間変更の直後、かつ段階414および416におけるRAUまたは複合RAU手順を実行する前に、第2の非アクティビティタイマーを開始してもよい。第2の非アクティビティタイマーは、第1の非アクティビティタイマーが停止される前に時間値が第1の非アクティビティタイマーに残っている時間に等しくなると、段階418において開始されてもよい。段階420において、第2の非アクティビティタイマー(たとえば、タイマーT3242/T3243)が満了する。応答して、段階422において、UE105がeCall非アクティビティ手順を実行する。eCall非アクティビティ手順は、第2の非アクティビティタイマーが満了し、UE105がCSアイドル状態、PS未登録状態、PSヌル状態、READYタイマーが動作中ではないPS登録状態、PS登録アイドル状態、またはこれらの任意の組合せのうちの少なくとも1つであるときにまたはその後に実行され得る。READYタイマーは、いつUE105がアイドルであり、もはやPSモードでデータトラフィックを送信および受信していない状態であり得るかをGPRSアクセスが検出するために使用される、3GPP TS 24.008で定義されたREADYタイマーであってもよい。段階424において、UE105は、GSM(登録商標)/UMTSコアネットワーク103とのIMSIデタッチまたは複合GPRSデタッチ手順を実行する。
【００９３】
図5は、本開示の少なくとも1つの態様による、UE105がアイドルモードである間の、GSM(登録商標)/UMTSセルからLTEセルへのUE105のシステム間変更を示す例示的なフロー500である。例示的なフロー500の場合、UE105はeCall専用モード用に構成されると想定される。図5は、図1Cの通信システム100-cに適用可能であり、図1Cに関して前に説明したいくつかの要素に言及する。図5の例では、UE105は最初に、GERAN121-1またはUTRAN121-2(まとめてGERAN/UTRAN121と呼ばれる)にアクセスすることが可能である(たとえば、キャンプオンし得る)。
【００９４】
段階502において、UE105は、GSM(登録商標)/UMTSコアネットワーク103とのシグナリング対話を介してeCall over CSまたはCSテスト/再構成呼を確立する。段階504において、GSM(登録商標)/UMTSコアネットワーク103は、適切なPSAP160またはテスト/再構成サーバ164(図5に図示せず)とのシグナリング対話を介してeCallまたはテスト/再構成呼を確立する。UE105とPSAP160またはテスト/再構成サーバ164との間のシグナリング対話は、段階502および/または504の一部として行われる可能性もある。段階502および504の間などに実行される、eCall over CSの確立については、図2に関して詳細に説明した。段階502および504におけるCSテスト/再構成呼の確立は、(それらの全体が参照により本明細書に組み込まれる)3GPP TS 23.018および24.008に記載されているものなどの、GSM(登録商標)およびUMTS CSアクセス用のよく知られている呼確立手順を使用してもよい。段階506および508において、eCallまたはテスト/再構成呼が解放される。
【００９５】
eCallまたはテスト/再構成呼の解放時に、段階510において、UE105は、第1の非アクティビティタイマー(たとえば、3GPP TS 24.008で定義されるようなタイマーT3242/T3243)を開始する。段階512において、UE105は、GERAN/UTRAN121用のGSM(登録商標)セルまたはUMTSセルのカバレージからE-UTRAN123用のLTEセルのカバレージに移動し、結果として、GERAN/UTRAN121およびGSM(登録商標)/UMTSコアネットワーク103からE-UTRAN123およびEPC101へのシステム間変更を実行する。段階512におけるシステム間変更はeCallまたはテスト/再構成呼の解放の後に行われるので、また、UE105はeCall専用モードで動作するので、システム間変更はUE105がアイドル状態である間に行われる。段階512におけるシステム間変更は、段階514において、3GPP TS 23.401に記載されているようなトラッキングエリア更新(TAU:Tracking Area Update)または複合TAU手順を実行するようにUE105をトリガしてもよい。段階516において、EPC101は、GSM(登録商標)/UMTSコアネットワーク103とのTAUまたは複合TAU手順を継続し、完了する。「複合」TAUは、EPC101上のPSサービスとCSサービスの両方に対する登録更新である。
【００９６】
段階518において、段階514および516におけるTAUまたは複合TAU手順を実行したことに応答して、UE105は、第1の非アクティビティタイマー(たとえば、タイマーT3242/T3243)を停止し、第2の非アクティビティタイマー(たとえば、3GPP TS 24.301で定義されるようなタイマーT3444/T3445)を開始する。しかしながら、一態様では、UE105は、段階512におけるシステム間変更の直後、かつ段階514および516におけるTAUまたは複合TAU手順を実行する前に、第1の非アクティビティタイマーを停止し、第2の非アクティビティタイマーを開始してもよい。第2の非アクティビティタイマーは、第1の非アクティビティタイマーが停止される前に時間値が第1の非アクティビティタイマーに残っている時間に等しくなると、段階518において開始されてもよい。段階520において、第2の非アクティビティタイマー(たとえば、タイマーT3444/T3445)が満了する。応答して、段階522において、UE105がeCall非アクティビティ手順を実行する。eCall非アクティビティ手順は、第2の非アクティビティタイマーが満了し、UE105がLTEアクセスに対してアイドル状態であるときにまたはその後に実行され得る。段階524において、UE105は、EPC101とのデタッチまたは複合デタッチ手順を実行する。「複合」デタッチ手順は、EPC101とのCSサービスとPSサービスの両方についてUE105をデタッチする。
【００９７】
図6は、本開示の少なくとも1つの態様による、UE105が接続モードである間の、LTEセルからGSM(登録商標)/UMTSセルへのUE105のハンドオーバを示す例示的なフロー600である。例示的なフロー600の場合、UE105はeCall専用モード用に構成されると想定される。図6は、図1Cの通信システム100-cに適用可能であり、図1Cに関して前に説明したいくつかの要素に言及する。図6の例では、UE105は最初に、(たとえば、eノードB110を備える)E-UTRAN123にアクセスすることが可能である(たとえば、キャンプオンし得る)。
【００９８】
段階602において、UE105は、EPC101とのシグナリング対話を介してeCall over IMSまたはテスト/再構成呼を確立する。段階604において、EPC101は、適切なPSAP160またはテスト/再構成サーバ164(図6に図示せず)とのシグナリング対話を介してeCallまたはテスト/再構成呼を確立する。UE105とPSAP160またはテスト/再構成サーバ164との間のシグナリング対話は、段階602および/または604の一部として行われる可能性もある。段階602および604の間などに実行される、eCall over IMSの確立については、図3に関して詳細に説明した。段階602および604におけるテスト/再構成呼の確立は、3GPP TS 23.401および23.228に記載されているものなどの、LTEアクセス用のよく知られている呼確立手順を使用してもよい。
【００９９】
段階606において、eCallまたはテスト/再構成呼が進行中であり、UE105が接続モードである間、UE105は、E-UTRAN123用のLTEセルのカバレージからGERAN121-1用のGSM(登録商標)セルまたはUTRAN121-2用のUMTSセルのカバレージに移動する。結果として、段階608において、UE105は、E-UTRAN123およびEPC101からGERAN/UTRAN121およびGSM(登録商標)/UMTSコアネットワーク103へのハンドオーバを実行する。段階608におけるハンドオーバは、(それらの全体が参照により本明細書に組み込まれる)3GPP TS 23.237および23.216に記載されているようなSRVCC手順を使用した、GERAN/UTRAN121およびGSM(登録商標)/UMTSコアネットワーク103のためのCSドメインへのeCallまたはテスト/再構成呼のための音声媒体経路のハンドオーバを含んでもよい。段階608におけるハンドオーバはまた、またはその代わりに、3GPP TS 23.216および23.401に記載されているようなPSハンドオーバ手順を使用した、GERAN/UTRAN121およびGSM(登録商標)/UMTSコアネットワーク103のためのPSドメインへの(たとえば、テキストもしくはインスタントメッセージングのための)他の媒体経路および/またはeCallもしくはテスト/再構成呼のためのデータ経路のハンドオーバを含んでもよい。SRVCCが段階608において実行される場合、かつPSAP160またはテスト/再構成サーバ164がIP対応である場合、段階610において、EPC101は、UE105のための新しい音声媒体経路を確立することによって、PSAP160またはテスト/再構成サーバ164とのSRVCC手順を継続してもよい。段階612において、eCallまたはテスト/再構成呼が解放される。
【０１００】
eCallまたはテスト/再構成呼の解放時に、段階614において、UE105は、非アクティビティタイマー(たとえば、3GPP TS 24.008で定義されるようなタイマーT3242/T3243)を開始する。非アクティビティタイマーは、UE105がUTRAN121-2へのUMTS PSアクセスを有するときのeCallまたはテスト/再構成呼のためのPSシグナリング接続の解放に基づいて、段階614において開始されてもよい(条件1)。たとえば、PSシグナリング接続は、段階612においてまたはその後で解放されてもよく、段階608におけるPSハンドオーバ手順の一部として確立されていてもよい。非アクティビティタイマーは、UEがGERAN121-1へのGPRSアクセスを有するとき、およびREADYタイマーが段階608におけるPSハンドオーバ手順の後に開始されたときの、READYタイマーの満了に基づいて、段階614において開始されてもよい(条件2)。非アクティビティタイマーは、UE105がUTRAN121-2へのUMTS CSアクセスまたはGERAN121-1へのGSM(登録商標) CSアクセスを有するときのeCallまたはテスト/再構成呼のためのCSシグナリング接続の解放に基づいて、段階614において開始されてもよい(条件3)。非アクティビティタイマーを開始するための前述の条件1、条件2、および条件3は、いずれか1つの条件が満たされるときに非アクティビティタイマーが開始されることに依存しなくてもよく、または、2つ以上の条件の何らかの組合せが満たされるときにのみ非アクティビティタイマーが開始される場合に依存してもよい。
【０１０１】
段階616において、非アクティビティタイマーが満了する。段階616における非アクティビティタイマーの満了に応答して、段階618において、UE105がeCall非アクティビティ手順を実行する。UE105が(たとえば、UTRAN121-2への)UMTSアクセスを有する場合、eCall非アクティビティ手順は、非アクティビティタイマーが満了し、UE105がCSアイドル状態、PS登録アイドル状態、PS未登録状態、PSヌル状態、またはこれらの任意の組合せのうちの少なくとも1つであるときにまたはその後に実行され得る。たとえば、UE105が(たとえば、UTRAN121-2への)UMTSアクセスを有する場合、eCall非アクティビティ手順は、非アクティビティタイマーが満了し、UE105がCSアイドル状態およびPS登録アイドル状態であるか、またはCSアイドル状態およびPS未登録状態であるか、またはCSアイドル状態およびPSヌル状態であるときにまたはその後に実行され得る。UE105が(たとえば、GERAN121-1への)GSM(登録商標)-GPRSアクセスを有する場合、eCall非アクティビティ手順は、非アクティビティタイマーが満了し、UE105がCSアイドル状態、READYタイマーが動作中ではないPS登録状態、PS未登録状態、PSヌル状態、またはこれらの任意の組合せのうちの少なくとも1つであるときにまたはその後に実行され得る。たとえば、UE105が(たとえば、GERAN121-1への)GSM(登録商標)-GPRSアクセスを有する場合、eCall非アクティビティ手順は、非アクティビティタイマーが満了し、UE105がCSアイドル状態およびREADYタイマーが動作中ではないPS登録状態であるか、またはCSアイドル状態およびPS未登録状態であるか、またはCSアイドル状態およびPSヌル状態であるときにまたはその後に実行され得る。READYタイマーは、いつUE105がアイドルであり、もはやPSモードでデータトラフィックを送信および受信していない状態であり得るかをGPRSアクセスが検出するために使用される、3GPP TS 24.008で定義されたREADYタイマーであってもよい。段階620において、UE105は、GSM(登録商標)/UMTSコアネットワーク103とのIMSIデタッチまたは複合GPRSデタッチ手順を実行する。
【０１０２】
図7は、本開示の少なくとも1つの態様による、eCall専用モードのUE105のRAT間モビリティをサポートするための例示的な方法を示す。ブロック702において、UE105(たとえば、図8を参照しながら以下で説明するように、随意にeCallモビリティ管理モジュールによって指示される、UE105の通信デバイス)は、図4の段階402および404、図5の段階502および504、ならびに図6の段階602および604を参照しながら上記で説明したように、第1のeCallまたは第1のテスト/再構成呼のための通信セッションを確立する。ブロック704において、UE105(たとえば、図8を参照しながら以下で説明するように、随意にeCallモビリティ管理モジュールによって指示される、UE105の通信デバイス)は、図4の段階406および408、図5の段階506および508、ならびに図6の段階612を参照しながら上記で説明したように、第1のeCallまたは第1のテスト/再構成呼のための通信セッションを解放する。
【０１０３】
ブロック706において、UE105(たとえば、図8を参照しながら以下で説明するように、随意にeCallモビリティ管理モジュールによって指示される、UE105の通信デバイスまたは処理システム)は、第1のタイマーを開始する。第1のタイマーを開始することは、(ブロック708)UE105による通信セッションに関するUMTSアクセスのためのPSシグナリング接続の解放、(ブロック710)UE105におけるGPRSのためのREADYタイマーの満了、ここで、READYタイマーは、LTEアクセスからGSM(登録商標)-GPRSアクセスへの通信セッションのPSハンドオーバの後にUE105によって開始されたものである、(ブロック712)UE105によるLTEアクセスからGSM(登録商標)-GPRSアクセスまたはUMTSアクセスへのシステム間変更、あるいは(ブロック714)UE105によるGSM(登録商標)アクセスまたはUMTSアクセスからLTEアクセスへのシステム間変更のうちの少なくとも1つに基づき得る。ブロック708およびブロック710は各々、例示的なフロー600の段階614に対応し得る。ブロック712は、例示的なフロー400の段階418に対応し得る。ブロック714は、例示的なフロー500の段階518に対応し得る。
【０１０４】
ブロック716において、UE105(たとえば、図8を参照しながら以下で説明するように、随意にeCallモビリティ管理モジュールによって指示される、UE105の通信デバイス)は、図4の段階422、図5の段階522、および図6の段階618を参照しながら上記で説明したように、第1のタイマーが満了したときにeCall非アクティビティ手順を実行する。eCall非アクティビティ手順は、ワイヤレスネットワークからデタッチすることと、第2のeCallまたは第2のテスト/再構成呼がない場合にシグナリングをワイヤレスネットワークに送信するのを控えることとを含み得る。ワイヤレスネットワークからデタッチすることは、図4の段階424、図5の段階524または図6の段階620に対応し得る。
【０１０５】
一態様では、ブロック706において第1のタイマーを開始することが、通信セッションに関するUMTSアクセスのためのPSシグナリング接続の解放(ブロック708)に基づく場合、方法700は、ブロック702において、UE105によって、(図6の段階602および段階604を参照しながら上記で説明したように)LTEアクセスを使用する通信セッションを確立することと、UE105によって、(図6の段階606〜610を参照しながら上記で説明したように)LTEアクセスからUMTSアクセスへの通信セッションのハンドオーバを実行することと、UE105によって、(図6の段階612を参照しながら上記で説明したように)UMTSアクセスを使用する通信セッションを解放することとをさらに含む。この態様では、ブロック716においてeCall非アクティビティ手順を実行することは、第1のタイマーが満了し、UEが、UMTSアクセスに対して、CSアイドル状態、PS登録アイドル状態、PS未登録状態、PSヌル状態、またはこれらの任意の組合せのうちの少なくとも1つであるときにまたはその後にeCall非アクティビティ手順を実行することを含み得る。また、この態様では、ブロック716においてワイヤレスネットワークからデタッチすることは、IMSIデタッチまたは複合GPRSデタッチを実行することを含み得る。
【０１０６】
一態様では、ブロック706において第1のタイマーを開始することが、GPRSのためのREADYタイマーの満了(ブロック710)に基づく場合、方法700は、ブロック702において、UE105によって、(図6の段階602を参照しながら上記で説明したように)LTEアクセスを使用する通信セッションを確立することと、UE105によって、(図6の段階606〜610を参照しながら上記で説明したように)LTEアクセスからGSM(登録商標)-GPRSアクセスへの通信セッションのPSハンドオーバを実行することと、UE105によって、(図6の段階612を参照しながら上記で説明したように)GSM(登録商標)-GPRSアクセスを使用する通信セッションを解放することとをさらに含む。この態様では、ブロック716においてeCall非アクティビティ手順を実行することは、第1のタイマーが満了し、UE105が、GSM(登録商標)-GPRSアクセスに対して、CSアイドル状態、READYタイマーが動作中ではないPS登録状態、PS未登録状態、PSヌル状態、またはこれらの任意の組合せのうちの少なくとも1つであるときにまたはその後にeCall非アクティビティ手順を実行することを含み得る。また、この態様では、ブロック716においてワイヤレスネットワークからデタッチすることは、IMSIデタッチまたは複合GPRSデタッチを実行することを含み得る。
【０１０７】
一態様では、ブロック706において第1のタイマーを開始することが、LTEアクセスからGSM(登録商標)-GPRSアクセスまたはUMTSアクセスへのシステム間変更(ブロック712)に基づく場合、方法700は、ブロック702において、UE105によって、(図4の段階402および段階404を参照しながら上記で説明したように)LTEアクセスを使用する通信セッションを確立することと、UE105によって、(図4の段階406および段階408を参照しながら上記で説明したように)LTEアクセスを使用する通信セッションを解放することと、UE105によって、(図4の段階410を参照しながら上記で説明したように)LTEアクセスを使用する通信セッションの解放に基づいて第2のタイマーを開始することと、UE105によって、(図4の段階412〜416を参照しながら上記で説明したように)LTEアクセスからGSM(登録商標)-GPRSアクセスまたはUMTSアクセスへのシステム間変更を実行することと、UE105によって、(図4の段階418を参照しながら上記で説明したように)LTEアクセスからGSM(登録商標)-GPRSアクセスまたはUMTSアクセスへのシステム間変更の後に第2のタイマーに残された時間を用いて第1のタイマーを開始することと、UE105によって、(図4の段階418を参照しながら上記で説明したように)第2のタイマーを停止することとをさらに含む。この態様では、ブロック716においてeCall非アクティビティ手順を実行することは、第1のタイマーが満了し、UE105がCSアイドル状態、PS未登録状態、PSヌル状態、READYタイマーが動作中ではないPS登録状態、PS登録アイドル状態、またはこれらの任意の組合せのうちの少なくとも1つであるときにまたはその後にeCall非アクティビティ手順を実行することを含み得る。また、この態様では、ブロック716においてワイヤレスネットワークからデタッチすることは、IMSIデタッチまたは複合GPRSデタッチを実行することを含み得る。
【０１０８】
一態様では、ブロック706において第1のタイマーを開始することが、GSM(登録商標)アクセスまたはUMTSアクセスからLTEアクセスへのシステム間変更(ブロック714)に基づく場合、方法700は、ブロック702において、UE105によって、(図5の段階502および段階504を参照しながら上記で説明したように)GSM(登録商標)アクセスまたはUMTSアクセスを使用する通信セッションを確立することと、UE105によって、(図5の段階506および段階508を参照しながら上記で説明したように)GSM(登録商標)アクセスまたはUMTSアクセスを使用する通信セッションを解放することと、UE105によって、(図5の段階510を参照しながら上記で説明したように)GSM(登録商標)アクセスまたはUMTSアクセスを使用する通信セッションの解放に基づいて第2のタイマーを開始することと、UE105によって、(図5の段階512〜516を参照しながら上記で説明したように)GSM(登録商標)アクセスまたはUMTSアクセスからLTEアクセスへのシステム間変更を実行することと、UE105によって、(図5の段階518を参照しながら上記で説明したように)GSM(登録商標)アクセスまたはUMTSアクセスからLTEアクセスへのシステム間変更の後に第2のタイマーに残された時間を用いて第1のタイマーを開始することと、UE105によって、(図5の段階518を参照しながら上記で説明したように)第2のタイマーを停止することとをさらに含む。この態様では、ブロック716においてeCall非アクティビティ手順を実行することは、第1のタイマーが満了し、UEがLTEアクセスに対してアイドル状態であるときにまたはその後にeCall非アクティビティ手順を実行することを含み得る。また、この態様では、ブロック716においてワイヤレスネットワークからデタッチすることは、デタッチまたは複合デタッチを実行することを含み得る。
【０１０９】
図8は、本明細書で開示する動作をサポートするために装置802、装置804、および装置806(たとえば、それぞれ、UE、基地局(たとえば、ノードBまたはeノードB)、およびネットワークエンティティ(たとえば、LTE/EPCネットワーク101、GSM(登録商標)/UMTSネットワーク103などの構成要素)に対応する)に組み込まれ得る、(対応するブロックによって表される)いくつかの例示的な構成要素を示す。一例として、装置802は、UE105に対応してもよく、装置804は、ノードB124またはeノードB110のいずれかに対応してもよく、装置806は、BTS116、CS-MGW134、MSC130、RNC128、SGSN136、GGSN138、HSS144、MME172、サービングゲートウェイ115、PDNゲートウェイ122、テスト/再構成サーバ164などに対応してもよい。構成要素は、異なる実装形態における異なるタイプの装置において(たとえば、ASICにおいて、SoCにおいて、など)実装され得ることを諒解されたい。図示した構成要素はまた、通信システム内の他の装置に組み込まれてもよい。たとえば、システム内の他の装置が、同様の機能を提供するために、説明した構成要素と同様の構成要素を含んでもよい。また、所与の装置が、構成要素のうちの1つまたは複数を含んでもよい。たとえば、装置は、装置が複数のキャリア上で動作することおよび/または異なる技術を介して通信することを可能にする複数のトランシーバ構成要素を含み得る。
【０１１０】
装置802および装置804は各々、少なくとも1つの指定されたRAT(たとえば、LTE)を介して他のノードと通信するための(通信デバイス808および814によって表される)少なくとも1つのワイヤレス通信デバイスを含む。各通信デバイス808は、信号(たとえば、メッセージ、指示、情報など)を送信および符号化するための(送信機810によって表される)少なくとも1つの送信機と、信号(たとえば、メッセージ、指示、情報、パイロットなど)を受信および復号するための(受信機812によって表される)少なくとも1つの受信機とを含む。同様に、各通信デバイス814は、信号(たとえば、メッセージ、指示、情報、パイロットなど)を送信するための(送信機816によって表される)少なくとも1つの送信機と、信号(たとえば、メッセージ、指示、情報など)を受信するための(受信機818によって表される)少なくとも1つの受信機とを含む。
【０１１１】
送信機および受信機は、いくつかの実装形態では、(たとえば、単一の通信デバイスの送信機回路および受信機回路として具現化される)集積デバイスを備えてもよく、いくつかの実装形態では、別個の送信機デバイスおよび別個の受信機デバイスを備えてもよく、または他の実装形態では、他の方法で具現化されてもよい。装置804のワイヤレス通信デバイス(たとえば、複数のワイヤレス通信デバイスのうちの1つ)は、様々な測定を実行するためのネットワークリッスンモジュール(NLM)なども含み得る。
【０１１２】
装置804および装置806は、他のノードと通信するための(通信デバイス820および通信デバイス826によって表される)少なくとも1つの通信デバイスを含む。たとえば、通信デバイス826は、ワイヤベースまたはワイヤレスバックホール接続を介して1つまたは複数のネットワークエンティティと通信するように構成されたネットワークインターフェースを備え得る。いくつかの態様では、通信デバイス826は、ワイヤベースまたはワイヤレス信号通信をサポートするように構成されたトランシーバとして実装され得る。この通信は、たとえば、メッセージ、パラメータ、または他のタイプの情報を送ることおよび受信することを伴い得る。したがって、図8の例では、通信デバイス826は、送信機828および受信機830を備えるものとして示されている。同様に、通信デバイス820は、ワイヤベースまたはワイヤレスバックホールを介して1つまたは複数のネットワークエンティティと通信するように構成されたネットワークインターフェースを備え得る。通信デバイス826と同様に、通信デバイス820は、送信機822および受信機824を備えるものとして示されている。
【０１１３】
装置802、804、および806は、本明細書で開示するような動作と連動して使用され得る他の構成要素も含む。装置802は、本明細書で開示するUE機能を提供するための、および他の処理機能を提供するための処理システム832を含む。装置804は、本明細書で開示する基地局機能を提供するための、および他の処理機能を提供するための処理システム834を含む。装置806は、本明細書で開示するネットワークエンティティ機能を提供するための、および他の処理機能を提供するための処理システム836を含む。
【０１１４】
装置802、804、および806は、それぞれ、情報(たとえば、予約されたリソース、しきい値、パラメータなどを示す情報)を維持するための(たとえば、各々がメモリデバイスを含む)メモリ構成要素838、840、および842を含む。加えて、装置802、804、および806は、それぞれ、指示(たとえば、可聴指示および/または視覚指示)をユーザに与えるための、および/または(たとえば、キーパッド、タッチスクリーン、マイクロフォンなどの感知デバイスをユーザが作動させると)ユーザ入力を受信するための、ユーザインターフェースデバイス844、846、および848を含む。
【０１１５】
便宜上、装置802、804、および/または806は、本明細書で説明する様々な例に従って構成され得る様々な構成要素を含むものとして図8に示されている。しかしながら、図示したブロックは異なる設計において異なる機能を有し得ることが諒解されよう。
【０１１６】
図8の構成要素は、様々な方法で実装されてもよい。いくつかの実装形態では、図8の構成要素は、たとえば、1つもしくは複数のプロセッサおよび/または(1つもしくは複数のプロセッサを含み得る)1つもしくは複数のASICなどの、1つまたは複数の回路において実装され得る。ここで、各回路は、この機能を提供する回路によって使用される情報または実行可能コードを記憶するための少なくとも1つのメモリ構成要素を使用することおよび/または組み込むことができる。たとえば、ブロック808、832、838、および844によって表される機能のいくつかまたはすべては、(たとえば、適切なコードの実行によって、および/またはプロセッサ構成要素の適切な構成によって)装置802のプロセッサおよびメモリ構成要素によって実装され得る。同様に、ブロック814、820、834、840、および846によって表される機能のいくつかまたはすべては、(たとえば、適切なコードの実行によって、および/またはプロセッサ構成要素の適切な構成によって)装置804のプロセッサおよびメモリ構成要素によって実装され得る。また、ブロック826、836、842、および848によって表される機能のいくつかまたはすべては、(たとえば、適切なコードの実行によって、および/またはプロセッサ構成要素の適切な構成によって)装置806のプロセッサおよびメモリ構成要素によって実装され得る。
【０１１７】
一態様では、装置804は、ノードB124またはeノードB110に対応し得る。装置802は、ワイヤレスリンク860を介して装置804とのメッセージの送信および受信を行う場合があり、メッセージは、様々なタイプの通信(たとえば、音声、データ、マルチメディアサービス、関連する制御シグナリングなど)に関する情報を含む。ワイヤレスリンク860は、例として媒体862として図8に示す、対象の通信媒体を介して動作することができる。一般に、装置802および装置804は、それらが展開されるネットワークに応じて、LTE、GSM(登録商標)、UMTS、NRなどの1つまたは複数のRATに従ってワイヤレスリンク860を介して動作することができる。
【０１１８】
装置802は、本明細書で説明するUE側技法を実行するために使用され得る、eCallモビリティ管理モジュール852も含み得る。装置804および806は各々、それぞれ、本明細書で説明する基地局技法およびネットワークエンティティ技法を実行するために使用され得る、eCallモビリティ管理モジュール854および856も含み得る。一態様では、eCallモビリティ管理モジュール852、854、および856は、それぞれ、メモリ構成要素838、840、および842に記憶され、それぞれ、装置802、804、および806に本明細書で説明する動作を実行させるために、それぞれ、処理システム832、834、および836、ならびに/または、それぞれ、通信デバイス808、814、826によって実行可能なソフトウェアモジュールであってもよい。代替的に、eCallモビリティ管理モジュール852、854、および856は、本明細書で説明する動作を実行する、それぞれ、処理システム832、834、および836、ならびに/または、それぞれ、通信デバイス808、814、826に結合されたハードウェアモジュールであってもよい。また別の例として、eCallモビリティ管理モジュール852、854、および856は、ハードウェアとソフトウェアの組合せであるファームウェアモジュールであってもよい。
【０１１９】
したがって、一態様では、装置802がUE105に対応する場合、eCallモビリティ管理モジュール852が本明細書で説明するUE動作を実行してもよく、あるいは、eCallモビリティ管理モジュール852の実行が処理システム832および/または通信デバイス808に本明細書で説明するUE動作を実行させてもよい。たとえば、eCallモビリティ管理モジュール852は、図7を参照しながら上記で説明した動作を実行してもよく、あるいは通信デバイス808および/または処理システム832にそれらの動作を実行させてもよい。
【０１２０】
「第1の」、「第2の」などの呼称を使用する本明細書の要素へのいかなる言及も、一般的には、それらの要素の量または順序を限定するものではないことを理解されたい。むしろ、これらの呼称は、本明細書では、2つ以上の要素または要素のインスタンスを区別する好都合な方法として使用され得る。したがって、第1の要素および第2の要素への言及は、そこで2つの要素のみが用いられ得ること、または何らかの形で第1の要素が第2の要素に先行しなければならないことを意味しない。また、別段に記載されていない限り、要素のセットは1つまたは複数の要素を備え得る。加えて、本明細書または特許請求の範囲で使用する「A、B、またはCのうちの少なくとも1つ」または「A、B、またはCのうちの1つまたは複数」または「A、B、およびCからなるグループのうちの少なくとも1つ」という形の用語は、「AまたはBまたはCまたはこれらの要素の任意の組合せ」を意味する。たとえば、この用語は、A、またはB、またはC、またはAおよびB、またはAおよびC、またはAおよびBおよびC、または2A、または2B、または2Cなどを含み得る。
【０１２１】
上記の記述および説明に鑑みて、本明細書で開示する態様に関して説明する様々な例示的な論理ブロック、モジュール、回路、段階およびアルゴリズムステップは、電子ハードウェア、コンピュータソフトウェア、または両方の組合せとして実装され得ることを当業者は諒解されよう。ハードウェアとソフトウェアのこの互換性を明確に示すために、様々な例示的な構成要素、ブロック、モジュール、回路、段階およびステップについて、概してそれらの機能に関して上記で説明した。そのような機能がハードウェアとして実装されるか、またはソフトウェアとして実装されるかは、特定の適用例および全体的なシステムに課された設計制約に依存する。当業者は、説明した機能を特定の適用例ごとに様々な方法で実装し得るが、そのような実装決定は、本開示の範囲からの逸脱を引き起こすものと解釈されるべきではない。
【０１２２】
したがって、たとえば、装置または装置の任意の構成要素は、本明細書で教示するような機能を提供するように構成される(または動作可能にされる、または適合される)場合があることを諒解されたい。このことは、たとえば、機能を提供するように装置もしくは構成要素を製造(たとえば、作製)することによって、機能を提供するように装置もしくは構成要素をプログラミングすることによって、または何らかの他の適切な実装技法を使用することによって達成され得る。一例として、集積回路は、必要な機能を提供するように作製され得る。別の例として、集積回路は、必要な機能をサポートするように作製され、次いで、必要な機能を提供するように(たとえば、プログラミングを介して)構成され得る。また別の例として、プロセッサ回路は、必要な機能を提供するためにコードを実行し得る。
【０１２３】
さらに、本明細書で開示する態様に関して説明する方法、シーケンス、および/またはアルゴリズムは、直接ハードウェアにおいて、プロセッサによって実行されるソフトウェアモジュールにおいて、またはこの2つの組合せにおいて具現化され得る。ソフトウェアモジュールは、ランダムアクセスメモリ(RAM)、フラッシュメモリ、読取り専用メモリ(ROM)、消去可能プログラマブルROM(EPROM)、電気的消去可能プログラマブルROM(EEPROM)、レジスタ、ハードディスク、リムーバブルディスク、CD-ROM、または当技術分野で知られている任意の他の形態の記憶媒体内に存在し得る。例示的な記憶媒体は、プロセッサが記憶媒体から情報を読み取り、記憶媒体に情報を書き込むことができるように、プロセッサに結合される。代替として、記憶媒体は、プロセッサ(たとえば、キャッシュメモリ)と一体であってもよい。
【０１２４】
上記の開示は様々な例示的な態様を示すが、添付の特許請求の範囲によって定義される範囲から逸脱することなく、図示した例に対して様々な変更および修正を加えてもよいことに留意されたい。本開示は、具体的に図示した例のみに限定されるものではない。たとえば、別段に記載されていない限り、本明細書で説明する本開示の態様による方法クレームの機能、ステップ、および/またはアクションは、任意の特定の順序で実行される必要はない。さらに、いくつかの態様は、単数形で説明または特許請求される場合があるが、単数形への限定が明示的に述べられていない限り、複数形が企図される。
【符号の説明】
【０１２５】
100-a  ワイヤレス通信システム
100-b  ワイヤレス通信システム
100-c  ワイヤレス通信システム、通信システム
101  LTEコアネットワーク、EPC、LTEネットワーク、LTE/EPCネットワーク
102  訪問先ネットワーク
103  GSM(登録商標)/UMTSコアネットワーク、GSM(登録商標)/UMTSネットワーク
104  ホームネットワーク
105  UE
106  サードパーティネットワーク
107  IVS
110  発展型ノードB(eノードBまたはeNB)、eNB、eノードB
115  サービングゲートウェイ(S-GW)、サービングゲートウェイ
116  基地トランシーバ局(BTS)、BTS
118  基地局コントローラ(BSC)、BSC
120  無線アクセスネットワーク(RAN)、RAN
121  GERAN/UTRAN
121-1  GERAN
121-2  UTRAN
122  パケットデータネットワーク(PDN)ゲートウェイ(PDN-GW)、PDNゲートウェイ
123  E-UTRAN
124  ノードB
126  プロキシ呼セッション管理機能(P-CSCF)、P-CSCF
128  無線ネットワークコントローラ(RNC)、RNC
130  モバイル交換センタ(MSC)/ビジターロケーションレジスタ(VLR)、MSC、VLR、MSC/VLR
132  緊急呼セッション管理機能(E-CSCF)、E-CSCF
134  CS-MGW
135  メディアゲートウェイ管理機能(MGCF)、MGCF
136  サービングGPRSサポートノード(SGSN)、SGSN
138  ゲートウェイGPRSサポートノード(GGSN)、GGSN
140  ホームロケーションレジスタ(HLR)/認証センタ(AC)、HLR、AC
142  メディアゲートウェイ(MGW)、MGW
144  ホーム加入者サーバ(HSS)、HSS
145  レガシー緊急サービス(ES)ネットワーク、レガシーESネットワーク
150  選択的ルータ
155  NENA i3緊急サービスIPネットワーク(ESInet)、i3 ESInet
160  PSAP
160-a  レガシーPSAP
160-b  全国緊急番号協会(NENA)i3対応PSAP、i3 PSAP
164  テスト/再構成サーバ
170  公衆交換電話網(PSTN)、PSTN、インターネット/PSTN
172  モビリティ管理エンティティ(MME)、MME
180  電話
182  IMS
190  宇宙ビークル(SV)、SV、地球周回SV
192  ロケーション検索機能(LRF)、LRF
200  メッセージフロー
300  メッセージフロー
400  シグナリングフロー、フロー
500  フロー
600  フロー
802  装置
804  装置
806  装置
808  通信デバイス
810  送信機
812  受信機
814  通信デバイス
816  送信機
818  受信機
820  通信デバイス
822  送信機
824  受信機
826  通信デバイス
828  送信機
830  受信機
832  処理システム
834  処理システム
836  処理システム
838  メモリ構成要素
840  メモリ構成要素
842  メモリ構成要素
844  ユーザインターフェースデバイス
846  ユーザインターフェースデバイス
848  ユーザインターフェースデバイス
852  eCallモビリティ管理モジュール
854  eCallモビリティ管理モジュール
856  eCallモビリティ管理モジュール
860  ワイヤレスリンク
862  媒体
【図１Ａ】
2020529153.tif 000010
【図１Ｂ】
2020529153.tif 000011
【図１Ｃ】
2020529153.tif 000012
【図２】
2020529153.tif 000013
【図３】
2020529153.tif 000014
【図４】
2020529153.tif 000015
【図５】
2020529153.tif 000016
【図６】
2020529153.tif 000017
【図７】
2020529153.tif 000018
【図８】
2020529153.tif 000019
【国際調査報告】
2020529153.tif 000020
2020529153.tif 000021
2020529153.tif 000022
2020529153.tif 000023